(57)【要約】【課題】ペットから恐怖感を拭い去り、装着することで起こる二次的感染を防ぎ、肉体的負担を和らげ、軽く清潔で安全性と機能性の配慮された、見慣れた景色や好きな人がいつでも見え、デザイン性に優れた拘束用カラー、リフォームでき、塵を少なくし地球環境に優しく、飼い主が主となりペットのサイズに合う拘束用カラーを獣医師等とコラボレートすることで作製できる拘束用カラーの作製方法を提供する。【解決手段】本拘束用カラーは中空截頭円錐体で構成され、その小径側端部に形成され、動物Ｓの首の周りに嵌める首孔部２と、小径側端部から大径側端部に向かって延びて形成され、動物Ｓの口部を囲むカラー部３とを有し、カラー部３には、透孔５、右斜め直線６、左斜め直線７が表示される。右斜め直線６、左斜め直線７に沿って切り欠いて、模様孔部を形成してもよい。【選択図】図１
2007007250.tif 000002
【特許請求の範囲】
【請求項１】
動物の首の周りに装着されて、この動物の頭と口部が、当該動物の体の他の部分に近づくのを制限する拘束用カラーであって、中空な截頭円錐体であって、その小径側端部で形成される前記首の周りに嵌る首穴部と、且つ前記頭側に延びていて前記口部を囲むカラー部を有し、当該カラー部に多数の透孔が形成してあることを特徴とする拘束用カラー。
【請求項２】
前記透孔が単なる穴であることを特徴とする請求項１に記載の拘束用カラー。
【請求項３】
前記透孔が模様穴部で構成してあることを特徴とする請求項１に記載の拘束用カラー。
【請求項４】
前記透孔が単なる穴と模様穴部とで構成してあることを特徴とする請求項１に記載の拘束用カラー。
【請求項５】
前記穴は直径５ｍｍ程度であり、前記穴の配置は、縦ピッチが１０ｍｍ程度、横ピッチが２０ｍｍ程度で行なわれていることを特徴とする請求項２又は請求項４に記載の拘束用カラー。
【請求項６】
前記模様穴部の形状は、市松模様風、三角形、菱形、楕円形、星形、花びら形等の何れかの少なくとも一つであることを特徴とする請求項３又は請求項４に記載の拘束用カラー。
【請求項７】
右斜め上から左斜め下に沿った前記穴の中心を全て斜めに結ぶように左斜め下に向って直線を引き、この右斜め直線は、右斜め上から左斜め下に沿った前記穴の一列おきに実施してあり、左斜め上から右斜め下に沿った前記穴の中心を全て斜めに結ぶように右斜め下に向って直線を引き、この左斜め直線は、左斜め上から右斜め下に沿った前記穴の一列おきに実施してあり、前記右斜め直線及び前記左斜め直線には、ゴールド色、シルバー色及びホワイト色等のいずれかの色が付けられていることを特徴とする請求項５に記載の拘束用カラー。
【請求項８】
前記カラー部に、前記右斜め直線及び前記左斜め直線に沿わせて多くの模様穴部を開けるようにしたことを特徴とする請求項７に記載の拘束用カラー。
【請求項９】
前記カラー部の前記口部に対向する部分に開口部を作り、この開口部を蓋体で開閉が可能になるようにしたことを特徴とする請求項１乃至請求項８の何れかの一つに記載の拘束用カラー。
【請求項１０】
略扇型形状の主部の両端部にヘム部及び出来上がりラインが形成された型紙を製作して、この型紙にパターンをサイズ別に色分けして印刷しておき、多数の透孔を形成した板材の下に前記型紙を置き、動物の首廻りを計りサイズに合わせて前記板材に前記パターンに沿った裁断線を引き、この裁断線で裁断して略扇型形状の裁断板を作製し、この裁断板を丸めることで前記出来上がりラインを合わせて前記ヘム部を重ね合い、前記透孔を利用して留め部材で前記ヘム部を互いに留めることで、中空な截頭円錐体の拘束用カラーを作製するようにしたことを特徴とする拘束用カラーの作製方法。
【請求項１１】
前記パターンは、前記拘束用カラーを必要とするペット向きサイズで、傷口等を絶対にガードし特に就寝時等見張ることの出来ない時に使用するタイプ、及び背が高く足が長いペット向きで、前記拘束用カラーを装着することで食事や散歩に支障を来たさない時に使用するタイプであるナチュラルバージョン（ハードガード）と、背か低く足が短いペットで拘束用カラーが邪魔をして歩行やマーキング等に支障をきたし、排泄が速やかに行われない時に使用するタイプ、及び眼や耳の症状で頭骸骨周辺だけをガードしたい時に使用するタイプであるウォークバージョン（ソフトガード）であることを特徴とする請求項１０に記載の拘束用カラーの作製方法。
【請求項１２】
サイズアップしたい寸法分を説明書に従い、略長方形状の主部の両端部にヘム部及び出来上がりラインが形成されたサイズアップ用型紙を製作して、このサイズアップ用型紙を多数の透孔を形成した板材の下に置き、動物の首廻りを計りサイズに合わせて前記板材に前記サイズアップ用型紙に沿った裁断線を引き、この裁断線で裁断して略長方形状のサイズアップ用裁断板を作製し、前記ナチュラルバージョン、前記ウォークバージョンのそれぞれの略扇型形状の裁断板の右辺部に前記サイズアップ用裁断板の左辺部を、前記透孔を利用して留め部材を通して数カ所を留めて接続し、前記裁断板の左辺部に、前記サイズアップ用裁断板の右辺部を、前記透孔を利用して前記留め部材を通して数カ所を留めて接続して中空な截頭円錐体にすることでサイズアップを行い、サイズダウンは前記留め部材を鋏等でカットし、新たに前記透孔を利用して狭めたい寸法分を詰め、前記留め部材で留めて中空な截頭円錐体にすることで行なうことを特徴とする請求項１１に記載の拘束用カラーの作製方法。
【請求項１３】
略扇型形状の主部の両端部にヘム部及び出来上がりラインが形成された型紙を製作して、この型紙にパターンをサイズ別に色分けして印刷しておき、多数の透孔を形成した板材の下に前記型紙を置き、動物の首廻りを計りサイズに合わせて前記板材に前記パターンに沿った裁断線を引き、この裁断線で裁断して略扇型形状の裁断板を作製し、略長方形状の主部の両端部にヘム部及び出来上がりラインが形成された蓋体用型紙を製作して、この蓋体用型紙を多数の透孔を形成した板材の下に置き、動物の首廻りを計りサイズに合わせて前記板材に前記蓋体用型紙に沿った裁断線を引き、この裁断線で裁断して略長方形状の蓋体用裁断板を作製し、前記裁断板の右辺部に前記蓋体用裁断板の左辺部を、前記透孔を利用して留め部材を通して数カ所を留めて接続し、前記裁断板の左辺部に前記蓋体用裁断板の右辺部を、前記透孔を利用して前記留め部材を通して数カ所を留めて接続して中空な截頭円錐体の拘束用カラーを作り出し、この拘束用カラーの小径側端部で形成される首穴部側の前記留め部材を残し且つ他の前記留め部材を外すことで前記蓋体用裁断板の捲りを可能にして、前記拘束用カラーのカラー部に開口部を形成するようにしたことを特徴とする拘束用カラーの作製方法。
【請求項１４】
前記パターンは、背が低く足が短いペット向きで、前記拘束用カラーが邪魔をして飲食がし難い時に使用するタイプであるコンビバージョン（ハードガード）であることを特徴とする請求項１３に記載の拘束用カラーの作製方法。
【発明の詳細な説明】
【技術分野】
【０００１】
本発明は、猫または犬のようなペット等の動物のための獣医用保護装置に係わり、特に、動物の口部が動物の口部以外の部分に近づくのを制限するために、動物の首の周りに装着される拘束用カラーと、この拘束用カラーの作製方法に関する。
【背景技術】
【０００２】
一般に、獣医用の拘束用カラーは、長年の間、動物が体に傷を有するとき、この傷を舐める等のことから保護する必要のある場合、動物に外科的処置を行う場合に、最も頻繁に用いられている。
【０００３】
そのような代表的な拘束用カラーは、中空な截頭円錐体に形成される、比較的堅い合成樹脂材料又は他の比較的剛性な材料からなり、その拘束用カラーは、動物の首の周りにぴったりと嵌る小径側端部で形成される首穴部を有し、且つ動物の頭側に延びていて動物の口部を実質的に囲むカラー部を有する。したがって、拘束用カラーは、その外観のためにエリザベスカラーと言われている。
【０００４】
そして、従来の拘束用カラー１−４としては、図３０に示すように、中空な截頭円錐体に形成されるが、主に獣医師及び飼育係等が家畜等の為に、既存の比較的堅い合成樹脂板、ゴム、ダンボール等を使い、家畜のサイズに合わせ、略扇型（メガホンを切り開いた形）にカットし、このカットした板材４３を筒状に繋ぎ合せて首穴部４８及びカラー部４２を形成し、板材４３の重なり合う両端部に三対の穴４４を開けて、一対の穴４４ごとにロックタイ（またはドットボタン等）４５で留めることで作製しているようである。このような拘束用カラー１−４にはどれも色が付いており、その材料が只の板状である為に、多くの問題を抱えており、動物への配慮に欠け好ましくない。
【０００５】
また、既存品である、例えば図３１に示すような、比較的薄い合成樹脂や撥水加工させた紙にアコーデオンプリーツ４６を施して中空な截頭円錐体形状にして首穴部４８及びカラー部４２を形成した拘束用カラー１−４や、図３２に示すような、猫用、小型犬用の薄いラミネート（透明な板状）にロゴマークや模様４７が色付けしてある拘束用カラー１−４等、どれも動物への配慮に欠けて望ましいものではない。超大型犬用の拘束用カラーではプラスティックの植木鉢の底をくり抜き使用している例もある。
【０００６】
また、拘束用カラーに関連するものとしては、エリザベスカラー固定用紐と、このエリザベスカラー固定用紐を用いたエリザベスカラーの装着方法が公報に開示してある。すなわち、紐の中央に取り付けた係止具を、動物の首に装着したエリザベスカラーの喉に当たる部分にしっかり固定して、紐を左右の両肩に回して背中で交叉させ、襷掛けにした紐の両端に取り付けた係止具をそれぞれエリザベスカラーの両側部に固定する。三個の係止具は、エリザベスカラーの内周縁をほぼ三等分する位置に固定する。しかる後、紐を強く引っ張って弛みをなくし、エリザベスカラーの縁が皮膚に食い込むほどがっちりと肩部に押しつけて固定する（特許文献１参照）。
【特許文献１】実開平６−５２８０９号公報
【発明の開示】
【発明が解決しようとする課題】
【０００７】
上記した従来の拘束用カラー１−４にあっては、次に述べる第１〜第１１の問題点がある。
【０００８】
第１の問題点は、視界が狭くなることによる恐怖感の回避がなされていないことである。すなわち、始めて拘束用カラーを装着する対象動物であるペットの多くは、始めて首輪を装着された時と同様に気が狂う程の違和感を覚え、ペットによっては数十分から疲れ果てるまで、慣れるまで暴れる現象がみられている。一つには、視界が狭くなり周りを見渡すことができず恐怖感に襲われると推測する。この為か兎のような小動物に至ってはショック死をしてしまうこともあり、視界が遮られることへの不安は図りしれない。本能として生まれ持つ感覚、敵を感知できない恐怖感は拭い去らなければならない。
【０００９】
第２の問題点は、通気性の悪さによる二次的感染の防止対策がなされていないことである。すなわち、縫合部や傷口、病気が完治するまで数日間から長い時は何箇月も装着を必要とする為に、耳の垂れている盲導犬のラブラドールレトリーバーやビーグルが従来の拘束用カラーを二週間装着した結果、耳が蒸れ耳ダニが増殖するなど、耳道からの感染により結膜炎を併発するなど、通気性の悪さが原因で起こる感染症の実証例は数多く、病気等を治す為に通院することで、適切な医療用品のないために起こる二次的感染は防がなければならない。
【００１０】
第３の問題点は、先天性の脊髄損傷や老化による頚椎への負担、軽量化の対策がなされていないことである。すなわち、先天性の脊髄損傷や老化による為に、頚椎等への負担を軽減しなければならない病気等もあり、特に異なる病気との併発時には、拘束用カラーの軽量化は必要不可欠である。軽量化することにより動作が楽になり、歩行も有意義に行われる。外で排泄行為を済ませるペットにとっては散歩時の負担が軽減され、特に小型、中型の余り背の高くないペットにとっては、拘束用カラーが大きく重たいと引きずってしまい、鼻先を地面に近づけ難い為に臭いを嗅ぎ分ける仕種が困難になり、マーキング等に支障をきたし排泄行為の妨げになる。
【００１１】
第４の間題点は、既存の拘束用カラーの儘では、ペットの性格により稀に首から抜ける時があり、この安全対策がなされていないことである。首のサイズに合わせ拘束用カラーを作製するので頭蓋骨が邪魔をして抜けない筈であるが、ペットの行動力は我々の想像を遙かに越えている為に、渾身の力を振り絞り脱却を図るらしい。飼い主等が見張れない時、就寝中等のことを考えて安全対策の必要性が求められる。
【００１２】
第５の間題点は、ペットと飼い主、双方の利便性、機能性が考慮されていないことである。ペットの楽しみの中に餌の時間がある。飼い主の都合やペットの状態により日に何度かあり、その都度拘束用カラーを外すことは時間が掛かり、患部の位置により傷口の悪化を招き望ましいことではない。拘束用カラーを付けたままの飲食はペットにとり非常に困難であり、人が餌入れを持ち拘束用カラーの下から与えたり、水を早く飲みたい一心で慌てて水入れを押しやり零すなど、口蓋の両脇から涎とともに垂れ落ちる水の逃げ場がないた為に顎の下の首周りが濡れ湿気によるマラセチア菌の増殖にも繋がり、従来の拘束用カラーは只の筒であるために望ましくなく、もう少し双方の利便性を考慮した機能性のある
拘束用カラーの必要性が求められている。
【００１３】
第６の問題点は、ペットの精神的負担の軽減（ストレス解消等）がなされていないことである。すなわち、拘束用カラーは、それでなくても不快極まりない邪魔なものであり、特に、一寸した動ける病気や怪我のペットには堪らなそうで、なかなか外すことのできない苛立ちに何度も同じことを繰り返しやがて疲れ果てて眠る。このストレスが数日間で済めばまだよいのだが、動くことも儘ならない重症患畜や何箇月も装着しなければならない状態で只、ひたすらに耐えることを覚えたペットのストレスは解消しなければならない。
【００１４】
第７の問題点は、獣医師及び飼育係が費やす拘束用カラーの製作時間や方法に合理性が欠けていることである。本来、動物の治療や研究、世話などに全精力を傾けなければならない立場にいる彼らが、その都度サイズを計り、形を描き作製する。その仕上がりには斑があり、合わなければ再度作り直す。その手間やセンスは、彼らの責任の範囲を遙かに超えた問題である。一度でも人工的な痛みを経験したペットは、トラウマにより、病院などの扉を潜った瞬間から、不自然な換毛が始まり、全身から上毛が抜け落ちる等の心身のバランスを崩す実証例等から拘束用カラーの合理性が多少ならずと病院等での待ち時間の短縮に繋がるのではないかと考えられ、改善策が必要とされる。
【００１５】
第８の問題点は、用品としてのデザイン性が欠けていることである。これだけのペット産業時代に、デザイン性を持つ拘束用カラーは見受けられず、また、獣医師及び飼育係の努力の賜物である拘束用カラーも重苦しく、不自由そうである。何処からでもペットの顔が観られないことは見守る者をも不安にさせ状態の判断かできず不都合である。表情を把握できるようにデザイン性を持たせ見守る者を癒す効果のあるファッション性に富んだ拘束用カラーか必要とされ、デザイン性を持つことが病状の悪化を防ぐことにも繋がる。
【００１６】
第９の問題点は、拘束用カラーには使い捨て（ゴミ）が多く見られ、無駄で経済性に欠けていることである。第１０の問題点は、上記の拘束用カラーが（ゴミ）として環境を破壊し、環境破壊対策が成されていないことである。そして、第１１の問題点は、我々が何度でも再使用できる習慣を持った知能的で、洗浄や消毒が繰り適しできる衛生的な、耐久性に富んだ拘束用カラーのないことである。
【００１７】
従来の拘束用カラーの使用方法は、大半の人々が動物病院にかかり、必要に迫られ利用する。次に又拘束用カラーを使用する時が来ようなどと、完治した後には到底想像も付かず、幸せな日常に戻る。しかし、動物病院に通えるペットの多くは又、拘束用カラーを利用せざるを得ない時を多々迎えることがある。
【００１８】
このように、望ましくないことが多々起こる上で、その都度の拘束用カラーの作製に関しては、時間と費用の無駄使いばかりか、塵をも増やし続けることに繋がり地球の未来にとって望ましいことではない。一日も早い理想的な拘束用カラーの開発が望まれており、ペットの性格を一番良く把握する飼い主が主となり、獣医師等とのコラボレーションの上に作製できる拘束用カラーの出現が望まれる。
【００１９】
拘束用カラーを必要としなければならない四足動物の成長過程に於ける骨格の変化は小型体系と大型体系とでは著しく異なるようだが、中型体系以上のペットには生涯に幾つかの拘束用カラーが必要とされるようである。そのための、幼少期用、成長期用との区別分けは止むを得ないが、その成長過程に於ける少々のサイズアップやサイズダウンが誰にでも簡単にリフォームできることが望まれ、使い捨てることなく、何度でも直すことができ再使用できる拘束用カラーの出現が待たれている。
【００２０】
いくらペットの拘束用カラーと言ってもこれだけのペット産業時代、『我々の一部の経済は彼らの温床の上に成り立っている』と言っても過言ではなく、もう少しペット及び装着させる側の機能性を考慮した用品の開発が待たれている。人と生活していく上で用品としてのデザイン性は欠くことのできない問題であり、拘束用カラーを装着しなければならない辛い時こそ、装着させる人々とペット双方の重苦しい気分の軽減が必要とされる。
【００２１】
観ているだけでそのような気分が解消できる、デザインに優れたファッション性溢れるペットにとって付け心地の良い拘束用カラーの一日も早い開発が望まれる。
【００２２】
本発明は上記した問題点を解決するものであり、その第１の目的とするところは、ペットから恐怖感を拭い去り、装着することで起こる二次的感染を防ぎ、肉体的負担を和らげ、軽く清潔で安全性と機能性の配慮された、見慣れた景色や好きな人がいつでも見える、デザイン性に優れる理想的な拘束用カラーを提供することである。
【００２３】
また、本発明の第２の目的とするところは、パターン化させることにより合理性が増しリフォーム（サイズ直し）が可能になり、塵を少なくし地球環境に優しい拘束用カラーが提案でき、飼い主が主となりペットのサイズに合う拘束用カラーを獣医師等とコラボレートすることで作製できる拘束用カラーの作製方法を提供することである。
【課題を解決するための手段】
【００２４】
上記の第１の目的を達成するために、本発明に係る拘束用カラーは、動物の首の周りに装着されて、この動物の頭と口部が、当該動物の体の他の部分に近づくのを制限する拘束用カラーであって、その小径側端部で形成される首の周りに嵌る首穴部と、且つ頭側に延びていて口部を囲むカラー部を有し、当該カラー部に多数の透孔が形成してあることを特徴とする。
【００２５】
そして、透孔が単なる穴であることが好ましく、透孔が模様穴部で有ることが好ましく、更に、透孔が単なる穴と模様穴部とで構成してあることが好ましい。また、穴は直径５ｍｍ程度であり、穴の配置は、縦ピッチが１０ｍｍ程度、横ピッチが２０ｍｍ程度で行なわれることが好ましい。
【００２６】
かかる構成により、カラー部に設けた多数の透孔（穴及び模様穴部もしくは穴と模様穴部）から、周りが見渡せるようになるために、視界が広がりペットの恐怖感が回避でき、また、いつも好きな人の顔が見えるようになり、見慣れた景色の中で安心して治療や療養ができストレスの解消になり、風通しが良くなり二次的感染を防ぐことができる。
【００２７】
また、この多数の透孔等により軽量化が可能になり、首、脊髄等の肉体的負担の軽減に機能性を持たせることができ、バリエーションに富んだウォークバージョン等の拘束用カラーが提案でき、散歩等が容易になり利便性が向上し、更に、透孔を留め部材の留め穴として利用し、首輪やハーネスと連結させることができ安全性が増すようになる。
【００２８】
また、本発明に係る拘束用カラーは、上記した本発明に係る拘束用カラーにおいて、模様穴部の形状は、市松模様風、三角形、菱形、楕円形、星形、花びら形等の何れかの少なくとも一つであることを特徴とする。
【００２９】
かかる構成により、模様穴部の形状を、市松模様風、三角形、菱形、楕円形、星形、花びら形等の何れかの少なくとも一つにして、拘束用カラーにデザイン性を持たせれば、拘束用カラーのデザイン性やファッション性が増し、見守る者を癒すことができる。
【００３０】
また、本発明に係る拘束用カラーは、上記した本発明に係る拘束用カラーにおいて、右斜め上から左斜め下に沿った穴の中心を全て斜めに結ぶように左斜め下に向って直線を引き、この右斜め直線は、右斜め上から左斜め下に沿った穴の一列おきに実施してあり、左斜め上から右斜め下に沿った穴の中心を全て斜めに結ぶように右斜め下に向って直線を引き、この左斜め直線は、左斜め上から右斜め下に沿った穴の一列おきに実施してあり、右斜め直線及び左斜め直線には、ゴールド色、シルバー色及びホワイト色等のいずれかの色が付けられていることを特徴とする。
【００３１】
かかる構成により、これらの右斜め直線及び左斜め直線はゴールド色、シルバー色、ホワイト色等のいずれかの色が付けられているために、模様穴部が開けやすくなる。また、対象動物の眼への負担を少しでも無くすことが可能になる。また、ラブラドールレトリーバー（茶）や柴犬、ポメラニアン等にはゴールド色、ラブラドールレトリーバー（黒）やハスキー（グレー系）ウルフハウンド等にはシルバー色、マルチーズ、スピッツ等にはホワイト色をとファッション性を持たせ見守る者を楽しませ癒しの効果を持たせることが可能になる。
【００３２】
また、本発明に係る拘束用カラーは、上記した本発明に係る拘束用カラーにおいて、カラー部に、右斜め直線及び左斜め直線に沿わせて多くの模様穴部を開けるようにしたことを特徴とする。
【００３３】
かかる構成により、右斜め直線及び左斜め直線はゴールド色、シルバー色、ホワイト色等のいずれかの色を付けて、対象動物の眼への負担を少しでも無くし、ファッション性を持たせ見守る者を楽しませ癒しの効果を持たせることに加えて、カラー部に設けた多数の模様穴部から周りが見渡せるために、視界が広がりペットの恐怖感の回避でき、また、見慣れた景色や好きな人の顔が見られるようになり、ストレスの解消ができるばかりか、風通しが良くなり通気性に富み二次的感染を防ぐことができるようになる。
【００３４】
また、カラー部に多数の模様穴部を設けることにより軽量化を可能にさせ、首、脊髄等の負担の軽減を図り、バリエーションに富んだウォークバージョン等の拘束用カラーが提案できて、散歩、食事等が容易になるように利便性、機能性を向上させることができる。更に、模様穴部を留め部材の留め穴として利用して、拘束用カラーと首輪やハーネスを連結させ、安全が確保できる。
【００３５】
また、本発明に係る拘束用カラーは、上記した本発明に係る拘束用カラーにおいて、カラー部の口部に対向する部分に開口部を作り、この開口部を蓋体で開閉が可能になるようにしたことを特徴とする。
【００３６】
かかる構成により、ペットの口蓋にあたる部分を開くようなバリエーションに富んだコンビバージョン等の拘束用カラーが提案できて、食事等が容易になるように利便性、機能性を向上させることができる。
【００３７】
また、上記の第２の目的を達成するために、本発明に係る拘束用カラーの作製方法は、略扇型形状の主部の両端部にヘム部及び出来上がりラインが形成された型紙を製作して、この型紙にパターンをサイズ別に色分けして印刷しておき、多数の透孔を形成した板材の下に型紙を置き、動物の首廻りを計りサイズに合わせて板材にパターンに沿った裁断線を引き、この裁断線で裁断して略扇型形状の裁断板を作製し、この裁断板を丸めることで出来上がりラインを合わせてヘム部を重ね合い、透孔を利用して留め部材でヘム部を互いに留めることで、中空な截頭円錐体の拘束用カラーを作製するようにしたことを特徴とする。
【００３８】
そして、透孔が単なる穴であることが好ましく、透孔が模様穴部で有ることが好ましく、更に、透孔が単なる穴と模様穴部とで構成してあることが好ましい。
【００３９】
また、本発明に係る拘束用カラーの作製方法は、上記した本発明に係る拘束用カラーの作製方法において、パターンは、拘束用カラーを必要とするペット向きサイズで、傷口等を絶対にガードし特に就寝時等見張ることの出来ない時に使用するタイプ、及び背が高く足が長いペット向きで、拘束用カラーを装着することで食事や散歩に支障を来たさない時に使用するタイプであるナチュラルバージョン（ハードガード）と、背か低く足が短いペットで拘束用カラーが邪魔をして歩行やマーキング等に支障をきたし、排泄が速やかに行われない時に使用するタイプ、及び眼や耳の症状で頭骸骨周辺だけをガードしたい時に使用するタイプであるウォークバージョン（ソフトガード）であることを特徴とする。
【００４０】
したがって、ナチュラルバ−ジョン（ハードガード）として使用する拘束用カラーは、略扇型形状の裁断板の透孔を利用して留め部材を通して数カ所を留めて接続して中空な截頭円錐体を作り出すことができる。
【００４１】
また、ウォークバージョン（ソフトガード）として使用する拘束用カラーとして、そのカラー部が動物の首から鼻先までの長さが短いものを作製することができる。
【００４２】
また、本発明に係る拘束用カラーの作製方法は、上記した本発明に係る拘束用カラーの作製方法において、サイズアップしたい寸法分を説明書に従い、略長方形状の主部の両端部にヘム部及び出来上がりラインが形成されたサイズアップ用型紙を製作して、このサイズアップ用型紙を多数の透孔を形成した板材の下に置き、動物の首廻りを計りサイズに合わせて板材にサイズアップ用型紙に沿った裁断線を引き、この裁断線で裁断して略長方形状のサイズアップ用裁断板を作製し、ナチュラルバージョン、ウォークバージョンのそれぞれの略扇型形状の裁断板の右辺部にサイズアップ用裁断板の左辺部を、透孔を利用して留め部材を通して数カ所を留めて接続し、裁断板の左辺部に、サイズアップ用裁断板の右辺部を、透孔を利用して留め部材を通して数カ所を留めて接続して中空な截頭円錐体にすることでサイズアップを行い、サイズダウンは留め部材を鋏等でカットし、新たに透孔を利用して狭めたい寸法分を詰め、留め部材で留めて中空な截頭円錐体にすることで行なうことを特徴とする。
【００４３】
したがって、再使用またはリフォーム（サイズ直し）ができ、無駄がなく地球環境に優しいものになる。すなわち、パターン化させリフォーム（サイズ直し）を可能にさせることにより塵が少なくなり、使い捨てにしない注意を（説明書に写真や図解を交え）呼びかけ、飼い主が主になり拘束用カラーを作製し無駄をなくすことができる。
【００４４】
したがって、拘束用カラーを必要とするタイプは、ペットの性格により、幼少期と成長期の生涯で、生産１つ〜３つのタイプに済ませるように配慮出来るので経済的である。
【００４５】
また、上記の第２の目的を達成するために、本発明に係る拘束用カラーの作製方法は、
略扇型形状の主部の両端部にヘム部及び出来上がりラインが形成された型紙を製作して、この型紙にパターンをサイズ別に色分けして印刷しておき、多数の透孔を形成した板材の下に型紙を置き、動物の首廻りを計りサイズに合わせて板材にパターンに沿った裁断線を引き、この裁断線で裁断して略扇型形状の裁断板を作製し、略長方形状の主部の両端部にヘム部及び出来上がりラインが形成された蓋体用型紙を製作して、この蓋体用型紙を多数の透孔を形成した板材の下に置き、動物の首廻りを計りサイズに合わせて板材に蓋体用型紙に沿った裁断線を引き、この裁断線で裁断して略長方形状の蓋体用裁断板を作製し、裁断板の右辺部に蓋体用裁断板の左辺部を、透孔を利用して留め部材を通して数カ所を留めて接続し、裁断板の左辺部に蓋体用裁断板の右辺部を、透孔を利用して留め部材を通して数カ所を留めて接続して中空な截頭円錐体の拘束用カラーを作り出し、この拘束用カラーの小径側端部で形成される首穴部側の留め部材を残し且つ他の留め部材を外すことで蓋体用裁断板の捲りを可能にして、拘束用カラーのカラー部に開口部を形成するようにしたことを特徴とする。
【００４６】
そして、透孔が単なる穴であることが好ましく、透孔が模様穴部で有ることが好ましく、更に、透孔が単なる穴と模様穴部とで構成してあることが好ましい。
【００４７】
そして、パターンは、背が低く足が短いペット向きで、前記拘束用カラーが邪魔をして飲食がし難い時に使用するタイプであるコンビバージョン（ハードガード）であることを特徴とする。
【００４８】
したがって、コンビバージョン（ハードガード）として使用する拘束用カラーとして、多数の透孔を有する板材で、略扇型形状の裁断板と略長方形状の蓋体用裁断板を作製して、裁断板の左、右辺部及び蓋体用裁断板の左、右辺部に、ヘム部及び出来上がりラインを形成し、裁断板の右辺部に蓋体用裁断板の左辺部を、透孔を利用して留め部材を通して数カ所を留めて接続し、裁断板の左辺部に蓋体用裁断板の右辺部を、透孔を利用して留め部材を通して数カ所を留めて接続して中空な截頭円錐体を作り出し、尚且つ、蓋体用裁断板の数カ所（上、中、下）に留められた留め部材は、リピートタイ及び面ファスナー等で開閉出来るようになる。したがって、コンビバージョン（ハードガード）として使用する拘束用カラーの作製が容易になる。
【発明の効果】
【００４９】
本発明に係る拘束用カラーによれば、カラー部に設けた多数の透孔（穴または模様穴部もしくは穴と模様穴部）より、ペットの視界が広がり見慣れた景色や好きな人がいつでも見えるようになるために精神的負担（恐怖感やストレス）が少なくなり、また、とても風通しが良くなるために二次感染の防止になり、今までより、より一層軽くなるために肉体的負担も減り、透孔を利用して安全性が確保でき、更に、機能性が配慮されることによりペットと見守る者、双方が便利になり、デザイン性をもつことで見守る者が癒され、ファション性に溢れることで多くの人々に希望を与え、必要とされ、愛される効果を有する理想的な拘束用カラーとして効果が発揮できる。
【００５０】
また、本発明の拘束用カラ−の作製方法に基づけば、パターン化することにより一定の材料に図を転写し其をサイズに合わせカットすればよくなる為、又、サイズ展開を多くし、カットした物として販売に至れば、（各バージョンを、例えば、大サイズ、中サイズ、小サイズ等に分ける）獣医師等の時間の削減が可能になり、誰にでも簡単に美しい拘束用カラーか作製でき、使い捨てにしない何度でも洗い消毒ができ、再使用または、リフォーム（サイズ直し）が可能であることを（説明書に写真や図形を交え）提案していくことができる。よって経済的で合理性を兼ね備えた環境破壊に優しい拘束用カラーが提供できる。
【００５１】
また、合理的にパターン化させることで製作時間の短縮が図れ、リフォーム（サイズ直し）が可能になり経済的で、塵を少なくし地球環境に優しい拘束用カラーが提案でき、飼い主か主となりペットのサイズに合うバリエーションに富んだ拘束用カラーを獣医師等とコラボレートすることで作製できるように提案ができ効果は倍増される。
【発明を実施するための最良の形態】
【００５２】
以下、本発明に係る拘束用カラーと、この拘束用カラーの作製方法とのそれぞれの実施の形態を図面に基づいて説明する。
【００５３】
拘束用カラー１、１−１は、対象動物（ここでは犬もしくは猫）に付けて用いられ、対象動物の頭と口部が体の他の部分に近づくのを制限するものである。このような拘束用カラー１、１−１は、治療した切り傷または感染若しくは治癒している外科的切り口のような、敏感な領域が体、足または尾にあるとき、或いは、頭や顔や耳を傷つけること、すなわちこれを歯や足の瓜で噛んだり、引っ掻くことを制御すべきであるときに用いられる。
【００５４】
図１、図２、図８及び図１４に示すように、拘束用カラー１、１−１は、中空な截頭円錐体を成しており、その小径側端部で形成される対象動物である犬Ｓの首周りに嵌める首穴部２と、且つ頭側に延びていて口部を実質的に囲むカラー部３を有している。そして、このカラー部３には多数の透孔としての単なる穴５が形成してある。なお、多数の穴５は、後述する直径が５ｍｍ程度のものであり、犬Ｓが中型の場合であって、前足及び後足があまり小さくなく、爪が大きいので爪が多数の穴５を通して身体に達することがない。超小型犬や猫は直径を小さくするものとする。
【００５５】
上記のように構成された、図１に示すナチュラルバージョン（ハードガード）Ｘである拘束用カラー１は犬Ｓに装着される。この装着は、図１に示すように犬Ｓの顔部分Ｓ１を首穴部２に鼻先から頭を通し首までに装着させ、この首穴部２の周部に形成された穴５の何れか（または後述する模様穴部１２）に、留め部材としてロックタイ（または、リピートタイ、面ファスナー等）１３を通して犬Ｓの首輪Ｔ等に留めることで行われる。この拘束用カラー１では、犬Ｓの顔部分Ｓ１の全部を覆うことになる。拘束用カラー１を嫌がらないタイプには首輪Ｔ等に留める必要はない。
【００５６】
また、拘束用カラー１−１が、図２に示すウォークバージョン（ソフトガード）Ｙである場合には、犬Ｓに装着された時、この拘束用カラー１−１では、犬Ｓの顔部分Ｓ１や前部分がカラー部３の位置になる。即ち、拘束用カラー１−１から鼻先が少し（５ｃｍ〜１０ｃｍ位）出るようになり散歩に適すサイズとなり、マーキング等の行為がし易く、排泄行為の手助けに役立ち利便性が増す。但し、このサイズの場合は、頭蓋骨部周辺の怪我や病気（耳、眼等）には適すが、その他の症状等の場合にはその限りではなく、飼い主等の見張りを必要とするものである為獣医師や飼い主等が選択出来る提案も図るものである。
【００５７】
次に、拘束用カラー１のバリエーションの中のコンビバージョン（ハードガード）Ｚである拘束用カラー１−３は、図２６乃至図２９に示すように、背が低く足の短い動物等のために、ナチュラルバージョン（ハードガード）Ｘの応用編として、中空な截頭円錐体の上部から口蓋下、顎下を通り首の付け根あたりまで開口部を形成して、この開口部を蓋体（図２８及び図２９における蓋体用裁断板４０）で開閉出来るようにして、この蓋体を外側に巻き込むことにより開口部を開くことが出来るようにしたものであり、鼻先より５ｃｍ位も突き出ている拘束用カラー１を、その都度取り外すことなく、患部を触らずに、飲食を容易に出来るようにもするためである。
【００５８】
また、ナチュラルバージョン（ハードガード）Ｘには、図１に示すように、カラー部３に多数の穴５を設けることで拘束用カラー１の軽量化が可能になり、首、脊髄等の負担の軽減に繋がり、風通しが良くなり、通気性に富み二次的感染を防ぎ、首輪やハーネスに接続することで安全性を得ることができ、デザイン性も増し、観る者を癒すことができる。
【００５９】
また、ウォークバージョン（ソフトガード）Ｙにも、図２に示すように、カラー部３に多数の穴５が設けてあるために、通気性、軽量化、安全性等、その他の様々な利点が確保でき、鼻先を少し（５ｃｍ〜１０ｃｍ位）出るサイズにする為、散歩向きでマーキング等の行為がし易く、排泄の手助けに役立ち、利便性か増す。また、頭骸骨周辺のガード向き用である。
【００６０】
また、コンビバージョン（ハードガード）Ｚにも、図２６及び図２７に示すように、カラー部３１に多数の穴５（または後述する模様穴部１２）を設けることで、通気性、軽量化、安全性等、その他の様々な利点が確保できると共に、蓋体（図２８及び図２９における蓋体用裁断板４０）にも多数の穴５（または後述する模様穴部１２）が設けてある。蓋体（図２８及び図２９における蓋体用裁断板４０）を開閉させることにより、更に、飲食が安易にできるようになって利便性が増す。
【００６１】
更に、首穴部２の局部に形成された穴５を通し穴として用いロックタイ３３（または、リピートタイや面ファスナー等）を通して犬Ｓに留めるようにすることができる。
【００６２】
拘束用カラー１を使用する対象動物の爪や舌などが、単なる透孔より傷口に触れる危険性が見受けられない時は、通気性を考慮し、図１０に示すように、デザイン性を持たせ、周りが見渡せるように拘束用カラー１に多数の穴５を残したまま多数の透孔として模様穴部１２が形成される。これらの模様穴部１２の大きさは対象動物の大きさにより異なり、模様穴部１２の数は必要に応じ変わる。模様穴部１２の形状は市松模様風の他に、三角形、菱形、楕円形、星形、花びら形等がある。
【００６３】
上記したように、カラー部３に多数の穴５と多数の模様穴部１２が設けてあるために、これらの多数の穴５と多数の模様穴部１２からは、更に風通しが良くなり通気性を有することが倍増され二次的感染を防ぐことに望ましく、そのことにより、益々軽量化が可能になり首、脊髄等への肉体的負担が軽減され、また、より一層周りが見渡せるようになる為視界が一段と広がり、恐怖感が更に回避でき、見慣れた景色や好きな人の顔が鮮明に見られるようになることから安心感を得られストレスの解消に絶大な効果をもたらし、精神的負担の軽減に繋がる。
【００６４】
また、上記に更に、機能性を持たせることにより、飲食や散歩が容易になり、ペットや飼い主の利便性が増し、バリエーションに富んだ拘束用カラーとして、図２に示すウォークバージョン（ソフトガード）Ｙや図２８及び図２９に示すコンビバージョン（ハードガード）Ｚ等が提案できる。
【００６５】
そして更に、その穴５と模様穴部１２を用いて留め部材の留め穴として利用し、面ファスナーやリピートタイ１３を通して犬Ｓの首輪Ｔ等に留めるようにすることができ安全性も確保できる。
【００６６】
次に、本発明に係る拘束用カラーの作製方法を説明する。
【００６７】
拘束用カラー１、１−１、１−２、１−３は、乳白色もしくは透明で柔らかい合成樹脂製の板材１Ａを主な材料としている。この板材１Ａには、図３に示すように、直径５ｍｍ程度の穴５が、縦ピッチが１０ｍｍ程度、横ピッチが２０ｍｍ程度で多数形成してある。
【００６８】
そして、図４に示すように、右斜め上から左斜め下に沿った穴５の中心を全て斜めに結ぶように左斜め下に向って直線６が引いてあり、この右斜め直線６は、右斜め上から左斜め下に沿った穴５の一列おきに実施されている。同様に、左斜め上から右斜め下に沿った穴５の中心を全て斜めに結ぶように右斜め下に向って直線７が引いてあり、この左斜め直線７は、左斜め上から左斜め下に沿った穴５の一列おきに実施されている。
【００６９】
これらの右斜め直線６及び左斜め直線７はゴールド色、シルバー色、ホワイト色等のいずれかの色が付けてあるために、模様穴部１２が開けやすくなる。また、ラブラドールレトリーバー（茶）や柴犬、ポメラニアン等にはゴールド色、ラブラドールレトリーバー（黒）やハスキー（グレー系）ウルフハウンド等にはシルバー色、マルチーズ、スピッツ等にはホワイト色をとファッション性を持たせ、見守る者を楽しませ癒しの効果を持たせてある。
【００７０】
拘束用カラー１、１−１、１−２、１−３は、上記した板材１Ａを裁断して形成されるものであるが、この裁断にあたって、まず、略扇型形状の型紙が製作される。この型紙は薄いボール紙（または、薄い合成樹脂板等）を略扇型形状または略長方形状に切抜いて作製される。
【００７１】
すなわち、型紙には、図５に示すナチュラルバージョン（ハードガード）Ｘの略扇型形状の型紙８と、図１１に示すウォークバージョン（ソフトガード）Ｙの略扇型形状の型紙８−１と、図１６に示す略長方形状のサイズアップ用型紙１６と、図２０に示すコンビバージョン（ハードガード）Ｚの略扇型形状の型紙８−２と、図２３に示す略長方形状の蓋体用型紙４１とがある。
【００７２】
この時に必要とするパターンの選択をする。例えば、サイズ大、中、小の中から、ペットの性格や症状により選び出す。ナチュラルバージョン（ハードガード）Ｘとしては、拘束用カラーを必要とするペット向きサイズで、傷口等を絶対にガードし特に就寝時等見張ることの出来ない時に使用するタイプ、及び背が高く足が長いペット向きで、拘束用カラーを装着することで食事や散歩に支障を来たさない時に使用するタイプがあり、ウォークバージョン（ソフトガード）Ｙとしては、背か低く足が短いペットで拘束用カラーが邪魔をして歩行やマーキング等に支障をきたし、排泄が速やかに行われない時に使用するタイプ、及び眼や耳の症状で頭骸骨周辺だけをガードしたい時に使用するタイプがあり、コンビバージョン（ハードガード）Ｚとしては、背が低く足が短いペット向きで、拘束用カラーが邪魔をして飲食がし難いタイプ等がある。また、これらの組み合わせは、ペットの性格により飼い主などが複数を選び出すことが可能になる。
【００７３】
ナチュラルバージョン（ハードガード）Ｘの拘束用カラー１の作製方法を、図５乃至図１０を参照して説明する。
【００７４】
ナチュラルバージョン（ハードガード）Ｘの型紙８には、図５に示すように、略扇型形状の主部９の両端部にヘム部９Ａ、９Ｂが形成される。なお、図５中ａ、ｂは出来上がりラインであり、点線で描かれる曲線は犬の体型別のガイドラインである。
【００７５】
次に、図６に示すように、使用する側が選んだナチュラルバージョン（ハードガード）Ｘの型紙８を板材１Ａの下に置きペットの首廻りを計りサイズに合わせ鉛筆等で板材１Ａに型紙８に沿った裁断線を引き、この裁断線に合わせて裁断する。裁断された板材、すなわち裁断板１Ｂには、図７に示すように、型紙８と同様に略扇型形状の主部１０と、この主部１０の両端部のヘム部１１Ａ、１１Ｂと出来上がりラインａ１、ｂ１が形成される。
【００７６】
そして、拘束用カラー１を使用する対象動物（犬、猫）が小さい場合には、前足及び後足が小さく爪も細いので、多数の穴５を有する裁断板１Ｂをそのまま使用する。
【００７７】
そして、図７に示すように、裁断板１Ｂには、そのヘム部１１Ａの外側角部をＡ、内側角部をＣ、出来上がりラインａ１の内、外端部をイ、ロとし、また、ヘム部１１Ｂの外側角部をＢ、内側角部をＤ、出来上がりラインｂ１の内、外端部をハ、ニとした場合に、裁断板１ＢのＡ〜Ｂ間の外縁部に接着テープＰ１を貼り、ヘム部１１ＡのＡ〜Ｃ間の端縁部に接着テープＰ２を貼り、ヘム部１１ＢのＢ〜Ｄ間の端縁部に接着テープＰ３を貼り、裁断板１ＢのＣ〜Ｄ間の内縁部に接着テープＰ４を貼る。
【００７８】
そして、図８に示すように、裁断板１Ｂを丸めることで、出来上がりラインａ１と出来上がりラインｂ１とを合せ、すなわち、ロとニとを合せ、イとハとを合わせて、両ヘム部１１Ａ、１１Ｂを重ね合せ、両ヘム部１１Ａ、１１Ｂに形成されている穴５を利用してロックタイ（またはリピートタイ、面ファスナー等）１３で数カ所留めることで、中空な截頭円錐体の拘束用カラー１を作製する。
【００７９】
また、拘束用カラー１を使用する対象動物（犬、猫）が比較的大きい場合、（中型以上）は前足及び後足が大きく爪も太いので、裁断板１Ｂには多数の模様穴部１２が形成される。すなわち、裁断板１Ｂの右斜め直線６及び左斜め直線７に沿わせて斜め市松模様風等を必要に応じカットして多くの模様穴部１２を開ける。なお、穴５の半径や穴５のピッチ、市松模様風等に切り取った模様穴部１２の大きさは対象動物の大きさや症状により異なる。
【００８０】
そして、図９に示すように、裁断板１Ｂには、そのヘム部１１Ａの外側角部をＡ、内側角部をＣ、出来上がりラインａ１の内外端部をイ、ロとし、また、ヘム部１１Ｂの外側角部をＢ、内側角部をＤ、出来上がりラインｂ１の内外端部をハ、ニとした場合に、裁断板１ＢのＡ〜Ｂ間の外縁部に接着テープＰ１を貼り、ヘム部１１ＡのＡ〜Ｃ間の端縁部に接着テープＰ２を貼り、ヘム部１１ＢのＢ〜Ｄ間の端縁部に接着テープＰ３を貼り、裁断板１ＢのＣ〜Ｄ間の内縁部に接着テープＰ４を貼る。
【００８１】
そして、図１０に示すように、裁断板１Ｂを丸めることで、出来上がりラインａ１と出来上がりラインｂ１とを合せ、すなわち、ロとニとを合せ、イとハとを合わせて、両ヘム部１１Ａ、１１Ｂを重ね合せ、両ヘム部１１Ａ、１１Ｂに形成されている穴５もしくは模様穴部１２を利用してロックタイ（またはリピートタイ、面ファスナー等）１３で数カ所留めることで、中空な截頭円錐体の拘束用カラー１を作製する。
【００８２】
なお、模様穴部１２の形状は、上記した市松模様風に限らず、三角形状、菱形、楕円形、星形、花びら形等であっても良く、また、上記した右斜め直線６及び左斜め直線７を引くことなく、板材１Ａに直接に模様穴部１２を多数形成するようにしてもよい。更に、型紙８を使用することなく、裁断板１Ｂに直接模様穴部１２の上にパターンを転写しサイズ展開を多くする等色々と実施できる。また、材料そのものに始めからパターンを切り抜き、その後でそれぞれの模様穴部１２が切り口に掛からないようにデザインして作ることもできる。
【００８３】
なお、裁断板１Ｂの右斜め直線６及び左斜め直線７に沿わせて斜め市松模様風等を必要に応じカットして模様穴部１２を多く開ける作業は、必要に応じ獣医師等でも良いが、手術等の予定のある時は事前に飼い主が、緊急時は、上記したペットの種類や性格、症状によりサイズを決定したまま図８に示す拘束用カラー１を使用し、後日、主に飼い主等がペットを見張れる時首から外し、そのまま鋏やカッター等でカットするかまたは分解してカットする。分解はロックタイ１３を切るか外してその行為を行えばよい。
【００８４】
なお、これを行うように説明書に書き込み理解を得る。一間面倒に思われるが説明書付きの品物を病院等から渡されれば受け取った側の理解も早いと考える。獣医師の時間短縮に繋がり、二次感染を防ぐためのコラボレートが成り立つ。説明書にはＰＬ法に基づき事故のないよう万全の配慮を試みるものとする。
【００８５】
次に、ウォークバージョン（ソフトガード）Ｙの拘束用カラー１−１の作製方法を、図１１乃至図１４を参照して説明する。
【００８６】
ウォークバージョン（ソフトガード）Ｙの型紙８−１は、図１１で示すものであり、この型紙８−１には、略扇型形状の主部１４の両端部にヘム部１４Ａ、１４Ｂが形成される。なお、図１１中ｅ、ｆは出来上がりラインであり、点線で描かれる曲線は犬の体型別のガイドラインである。
【００８７】
次に、図１２に示すように、型紙８−１を多数の穴５を有する板材１Ａの下に置きペットの首廻りを計りサイズに合わせ鉛筆等で板材１Ａに型紙８−１に沿った裁断線を引き、この裁断線に合わせて裁断する。裁断された板材、すなわち裁断板１Ｂ−１には、図１３に示すように、略扇型形状の主部１５と、この主部１５の両端部のヘム部１５Ａ、１５Ｂと出来上がりラインｅ１、ｆ１が形成される。
【００８８】
そして、図１３に示すように、裁断板１Ｂ−１には、そのヘム部１５Ａの外側角部をＡ、内側角部をＣ、出来上がりラインｅ１の内、外端部をイ、ロとし、また、ヘム部１５Ｂの外側角部をＢ、内側角部をＤ、出来上がりラインｆ１の内、外端部をハ、ニとした場合に、裁断板１Ｂ−１のＡ〜Ｂ間の外縁部に接着テープＰ１を貼り、ヘム部１５ＡのＡ〜Ｃ間の端縁部に接着テープＰ２を貼り、ヘム部１５ＢのＢ〜Ｄ間の端縁部に接着テープＰ３を貼り、裁断板１Ｂ−１のＣ〜Ｄ間の内縁部に接着テープＰ４を貼る。
【００８９】
そして、図１４に示すように、裁断板１Ｂ−１を丸めることで、出来上がりラインｅ１と出来上がりラインｆ１とを合せ、すなわち、ロとニとを合せ、イとハとを合わせて、両ヘム部１５Ａ、１５Ｂを重ね合せ、両ヘム部１５Ａ、１５Ｂに形成されている穴５を利用してロックタイ（またはリピートタイ、面ファスナー等）１３で数カ所留めることで、中空な截頭円錐体の拘束用カラー１−１を作製する。
【００９０】
また、拘束用カラー１−１を使用する対象動物（犬、猫）が比較的大きい場合、（中型以上）は前足及び後足が大きく爪も太いので、裁断板１Ｂ−１には多数の模様穴部１２が形成される。
【００９１】
次に、ペットが太った時や、痩せた時に対応する拘束用カラー１−２の作製方法を、図１５乃至図１９を参照して説明する。
【００９２】
図８に示すナチュラルバージョン（ハードガード）Ｘの拘束用カラー１から使用時のサイズアップの基本作製について説明する。
【００９３】
先ず、拘束用カラー１の留め部材であるロックタイ（またはリピートタイ、面ファスナー等）１３を外し、図１５に示すように、拘束用カラー１を略扇型形状の裁断板１Ｂに戻す。次に、サイズアップさせたい寸法分量のサイズアップ用型紙１６を、コンビバージョン（ハードガード）Ｚの略長方形状の蓋体用型紙４１に見立て説明書に従い作製する。
【００９４】
すなわち、サイズアップ用型紙１６には、図１６に示すように略長方形状の主部１７の両端部にヘム部１７Ａ、１７Ｂが形成される。なお、図１６中１７ａ、１７ｂは出来上がりラインであり、点線で描かれる曲線は犬の体型別のガイドラインである。
【００９５】
次に、図１７に示すように、サイズアップ用型紙１６を板材１Ａの下に置きペットの首廻りを計りサイズに合わせ鉛筆等で板材１Ａにサイズアップ用型紙１６に沿った裁断線を引き、この裁断線に合わせて裁断する。裁断された板材、すなわち、サイズアップ用裁断板２０には、図１８に示すように、その略長方形状の主部２０Ｃの両端部にヘム部２０Ａ、２０Ｂと出来上がりラインｃ１、ｄ１が形成される。
【００９６】
そして、このサイズアップ用裁断板２０は、そのヘム部２０Ａの外側角部をＥ、内側角部をＧ、出来上がりラインｃ１の内、外端部をヘ、ホとし、また、ヘム部２０Ｂの外側角部をＦ、内側角部をＨ、出来上がりラインｄ１の内、外端部をチ、トとした場合に、サイズアップ用裁断板２０のＥ〜Ｆ間の外縁部にテープＰ５を貼り、サイズアップ用裁断板２０のＥ〜Ｇ間の端縁部にテープＰ６を貼り、サイズアップ用裁断板２０のＦ〜Ｈ間の端縁部にテープＰ７を貼る。
【００９７】
そして、裁断板１Ｂの出来上がりラインａ１とサイズアップ用裁断板２０の出来上がりラインｄ１とを合わせ、すなわち、イとチ、ロとトとを合わせて、両ヘム部１１Ａ、２０Ｂを重ね合わせ、図１９に示すように、両ヘム部１１Ａ、２０Ｂに形成されている穴５を利用してロックタイ（またはリピートタイ、面ファスナー等）２３で留めることで、裁断板１Ｂの一方の端部にサイズアップ用裁断板２０の一方の端部を接続する。
【００９８】
次に、裁断板１Ｂ及びサイズアップ用裁断板２０を丸めることで、出来上がりラインｂ１と出来上がりラインｃ１とを合わせ、すなわち、ニとホを合わせ、ハとへとを合わせて、両ヘム部１１Ｂ、２０Ａを重ね合わせ、両ヘム部１１Ｂ、２０Ａに形成されている穴５を利用してロックタイ（またはリピートタイ、面ファスナー等）２３で留めて、環になったヘム部１１Ａとヘム部２０Ｂ、ヘム部１１Ｂとヘム部２０Ａを重ねた上からＣ〜ＤとＧ〜Ｈと輪を描く要領で接着テープＰ４を剥がす等して、接着テープＰ８を貼り、サイズアップさせた拘束用カラー１−２を作製する。ロックタイ等２３の位置を変えることでも、ペットが太った時成長した時に対応できる。
【００９９】
よって、サイズアップした拘束用カラー１−２の全てに穴５及び模様穴部１２が開いたことになり、首輪Ｔ等と接続できる。なお、ウォークバージョン（ソフトガード）Ｙの拘束用カラー１−１のサイズアップは、上記したナチュラルバージョン（ハードガード）Ｘの拘束用カラー１のサイズアップと同様に行なわれる。
【０１００】
次に、図８に示すナチュラルバージョン（ハードガード）Ｘの拘束用カラー１と、ウォークバージョン（ソフトガード）Ｙの拘束用カラー１−１とを、それぞれサイズダウンする仕方について説明する。
【０１０１】
この場合、それぞれの穴５及び模様穴部１２を利用して、ロックタイ（またはリピートタイ、面ファスナー等）１３、２３で留め直せばよく、どの拘束用カラー１、１−１、１−２、１−３も同様に、再使用またはリフォーム（サイズ直し）ができ、無駄がなく地球環境に優しいものになる。すなわち、パターン化させリフォーム（サイズ直し）を可能にさせることにより塵が少なくなり、使い捨てにしない注意を（説明書に写真や図解を交え）呼びかけ、飼い主が主になり拘束用カラー１、１−１、１−２、１−３を作製し無駄をなくすことができる。
【０１０２】
次に、コンビバージョン（ハードガード）Ｚの拘束用カラー１−３と、この拘束用カラー１−３の作製方法を図２０乃至図２９を参照して説明する。
【０１０３】
コンビバージョン（ハードガード）Ｚの拘束用カラー１−３は、図２６に示すように、略扇型形状の裁断板１Ｂ−２と、略長方形状の蓋体用裁断板４０とで構成してある。
【０１０４】
コンビバージョン（ハードガード）Ｚの略扇型形状の型紙８−２は、図２０で示すものであり、この型紙８−２には、略扇型形状の主部３０の両端部にヘム部３０Ａ、３０Ｂが形成される。なお、図２０中ｇ、ｈは出来上がりラインであり、点線で描かれる曲線は犬の体型別のガイドラインである。
【０１０５】
そして、図２１に示すように、型紙８−２を多数の穴５を有する板材１Ａの下に置きペットの首廻りを計りサイズに合わせ鉛筆等で板材１Ａに型紙８−２に沿った裁断線を引き、この裁断線に合わせて裁断する。裁断された板材、すなわち裁断板１Ｂ−２には、図２２に示すように、略扇型形状の主部３１の両端部のヘム部３１Ａ、３１Ｂと出来上がりラインｇ１、ｈ１が形成される。
【０１０６】
そして、裁断板１Ｂ−２には、そのヘム部３１Ａの外側角部をＡ、内側角部をＣ、出来上がりラインｇ１の内、外端部をイ、ロとし、また、ヘム部３１Ｂの外側角部をＢ、内側角部をＤ、出来上がりラインｈ１の内、外端部をハ、ニとした場合に、裁断板１Ｂ−２のＡ〜Ｂ間の外縁部に接着テープＰ１０を貼り、裁断板１Ｂ−２のヘム部３１ＡのＡ〜Ｃ間の端縁部に接着テープＰ１１を貼り、ヘム部３１ＢのＢ〜Ｄ間の端縁部に接着テープＰ１２を貼る。
【０１０７】
また、コンビバージョン（ハードガード）Ｚの略長方形状の蓋体用型紙４１は、図２３で示すものであり、この蓋体用型紙４１には、略長方形状の主部４１Ｃの両端部にヘム部４１Ａ、４１Ｂが形成される。なお、図２３中ｉ、ｊは出来上がりラインであり、点線で描かれる曲線は犬の体型別のガイドラインである。
【０１０８】
次に、図２４に示すように、蓋体用型紙４１を板材１Ａの下に置きペットの首廻りを計りサイズに合わせ鉛筆等で板材１Ａに蓋体用型紙４１に沿った裁断線を引き、この裁断線に合わせて裁断する。裁断された板材、すなわち、蓋体用裁断板４０には、図２５に示すように、その略長方形状の主部４０Ｃの両端部にヘム部４０Ａ、４０Ｂと出来上がりラインｉ１、ｊ１が形成される。
【０１０９】
そして、この蓋体用裁断板４０は、そのヘム部４０Ａの外側角部をＥ、内側角部をＧ、出来上がりラインｉ１の内、外端部をヘ、ホとし、また、ヘム部４０Ｂの外側角部をＦ、内側角部をＨ、出来上がりラインｊ１の内、外端部をチ、トとした場合に、蓋体用裁断板４０のＥ〜Ｆ間の外縁部にテープＰ１４を貼り、蓋体用裁断板４０のＥ〜Ｇ間の端縁部にテープＰ１５を貼り、蓋体用裁断板４０のＦ〜Ｈ間の端縁部にテープＰ１６を貼る。
【０１１０】
そして、裁断板１Ｂ−２の出来上がりラインｇ１と蓋体用裁断板４０の出来上がりラインｊ１とを合わせ、すなわち、イとチ、ロとトとを合わせて、両ヘム部３１Ａ、４０Ｂを重ね合わせ、図２６に示すように、両ヘム部３１Ａ、４０Ｂに形成されている穴５を利用してロックタイ（またはリピートタイ、面ファスナー等）３３で留めることで、裁断板１Ｂ−２の一方の端部に蓋体用裁断板４０の一方の端部を接続する。
【０１１１】
次に、裁断板１Ｂ−２及び蓋体用裁断板４０を丸めることで、出来上がりラインｈ１と出来上がりラインｉ１とを合わせ、すなわち、ニとホを合わせ、ハとへとを合わせて、両ヘム部３１Ｂ、４０Ａを重ね合わせ、両ヘム部３１Ｂ、４０Ａに形成されている穴５を利用してロックタイ（またはリピートタイ、面ファスナー等）３３で留め、環になったヘム部３１Ｂと４０Ａ、ヘム部３１Ａと４０Ｂを重ねた上からＣ〜ＤとＧ〜Ｈと輪を描く要領で接着テープＰ１７を貼ることで、中空な截頭円錐体の拘束用カラー１−３を作製する。
【０１１２】
また、図２７に示す拘束用カラー１−３は、略扇型形状の裁断板１Ｂ−２及び略長方形状の蓋体用裁断板４０を、穴５及び模様穴部１２を形成した板材から裁断して上記したように組付けることで作製されたものである。
【０１１３】
よって拘束用カラー１−３にも同様に穴５及び模様穴部１２があるために、拘束用カラー１−３の全てに穴５が開いたことになる。
【０１１４】
上記のように構成された拘束用カラー１−３は犬Ｓ及び猫Ｋに装着される。そして、犬Ｓ及び猫Ｋの口部（口蓋にあたる部分）Ｓ２、Ｋ２を解放する場合には、図２８及び図２９に示すように、拘束用カラー１−３の首穴部２側のロックタイ（またはリピートタイ、面ファスナー等）３３を残した状態で、他のロックタイ（またはリピートタイ、面ファスナー等）３３を外し、蓋体用裁断板４０を外側に巻き込むことで行なわれる。
【０１１５】
以上、説明したように、本発明に係る拘束用カラーの実施の形態によれば、カラー部３に設けた多数の透孔（穴５及び模様穴部１２もしくは穴５と模様穴部１２）から外周りが見渡せるために、視界が広がりペットの恐怖感が回避でき、見慣れた景色や好きな人の顔が見られるようになり、ストレスの解消ができるようになるばかりか、風通しが良くなり通気性に富み二次感染を防ぐことができるようになる。
【０１１６】
また、カラー部３に多数の透孔（穴５及び模様穴部１２もしくは穴５と模様穴部１２）を設けることにより軽量化が可能になり、首、脊髄等の負担の軽減になり、また、ウォークバージョン（ハ−ドガード）Ｙや、コンビバージョン（ハードガード）Ｚ等のバリエーションに富んだ拘束用カラー１−１、１−３が提案でき、散歩や飲食などが容易になるように利便性、機能性を向上させることができ、更に、透孔（穴５及び模様穴部１２もしくは穴５と模様穴部１２）を留め部材の留め穴として利用して、安全な拘束用カラー１、１−１、１−３と首輪Ｔとを留め部材としてロックタイ（またはリピートタイ、面ファスナー等）１３、２３、３３で連結することが出来るようになる。
【０１１７】
また、本発明に係る拘束用カラーの実施の形態によれば、右斜め直線６及び左斜め直線７はゴールド色、シルバー色、ホワイト色等のいずれかの色が付けられているために、対象動物の眼球への負担を少しでも無くすことが可能になる。また、ラブラドールレトリーバー（茶）や柴犬、ポメラニアン等にはゴールド色、ラブラドールレトリーバー（黒）やハスキー（グレー系）ウルフハウンド等にはシルバー色、マルチーズ、スピッツ等にはホワイト色をとファッション性を持たせ観る者を楽しませ癒しの効果を持たせることが可能になる。
【０１１８】
また、本発明に係る拘束用カラーの実施の形態によれば、模様穴部１２の形状を、市松模様風、三角形、菱形、楕円形、星形、花びら形等にして、拘束用カラー１、１−１、１−２、１−３にデザイン性を持たせれば、そのデザイン性が向上し、見るものを癒すことができる。
【０１１９】
また、本発明に係る拘束用カラーの実施の形態によれば、パターン化したことにより一定の材料に図を転写し其をサイズに合わせカットすればよくなり、合理的に作製することができ、人々の時間の削減が可能になり、衛生的に洗える材料を選ぶことで再使用ができ、リフォームも可能になり、経済的で、飼い主が主になり作製できる、ペットのニーズにぴったりとあった環境破壊を考慮した、夢の拘束用カラーが実現できる。
【０１２０】
また、本発明に係る拘束用カラーの実施の形態によれば、犬Ｓ及び猫Ｋの口部（口蓋にあたる部分）Ｓ２、Ｋ２を開くようなバリエーションに富んだコンビバージョン等の拘束用カラー１−３が提案できて、食事等が容易になるように利便性、機能性を向上させることができる。
【０１２１】
なお、上記した本発明に係る拘束用カラーの実施の形態のそれぞれでは、対象動物として犬Ｓ、猫Ｋのペットについて述べたが、本発明は、兎、豚、動物園動物、野生動物などにも適用できるものである。
【産業上の利用可能性】
【０１２２】
本発明による拘束用カラーによれば、デザイン性を持つカラー部に設けた多数の透孔（穴及び模様穴部もしくは穴と模様穴部）から、通気性に富んだ軽く機能性に優れる、安全でペットの負担を和らげた、人々の心を癒すファッション性の豊かな理想的な拘束用カラーとして、動物病院、動物園、獣医大学病院、薬品会社、飼料会社、動物を必要とするあらゆる研究機関等から、必要とされ愛される用品として、広くは、世界中のペットの役に立ち、生産することにより産業上の可能性は大きく発展し、日本の経済の一部に貢献できることとなるであろう。
【図面の簡単な説明】
【０１２３】
【図１】本発明に係る拘束用カラーを犬に装着した状態の説明図である。
【図２】本発明に係る他の拘束用カラーを犬に装着した状態の説明図である。
【図３】本発明に係る拘束用カラーに使用する板材の平面図である。
【図４】表面に右斜め直線及び左斜め直線を引いた状態の板材の平面図である。
【図５】ナチュラルバージョン（ハードガード）Ｘの拘束用カラーの型紙の平面図である。
【図６】同型紙に板材を重ねた状態の平面図である。
【図７】ナチュラルバージョン（ハードガード）Ｘの拘束用カラーの裁断板の平面図である。
【図８】ナチュラルバージョン（ハードガード）Ｘの拘束用カラーの斜視図である。
【図９】ナチュラルバージョン（ハードガード）Ｘの拘束用カラーの他の裁断板の平面図である。
【図１０】ナチュラルバージョン（ハードガード）Ｘの拘束用カラーの斜視図である。
【図１１】ウォークバージョン（ソフトガード）Ｙの拘束用カラーの型紙の平面図である。
【図１２】同型紙に板材を重ねた状態の平面図である。
【図１３】ウォークバージョン（ソフトガード）Ｙの拘束用カラーの裁断板の平面図である。
【図１４】ウォークバージョン（ソフトガード）Ｙの拘束用カラーの斜視図である。
【図１５】ナチュラルバージョン（ハードガード）Ｘの拘束用カラーを略扇型形状の裁断板に戻した状態の説明図である。
【図１６】サイズアップ用型紙の平面図である。
【図１７】同サイズアップ用型紙に板材を重ねた状態の平面図である。
【図１８】サイズアップ用裁断板の平面図である。
【図１９】ナチュラルバージョン（ハードガード）Ｘのサイズアップした拘束用カラーの斜視図である。
【図２０】コンビバージョン（ハードガード）Ｚの拘束用カラーの略扇型形状の型紙の平面図である。
【図２１】同型紙に板材を重ねた状態の平面図である。
【図２２】コンビバージョン（ハードガード）Ｚの拘束用カラーの裁断板の平面図である。
【図２３】コンビバージョン（ハードガード）Ｚの拘束用カラーの蓋体用型紙の平面図である。
【図２４】同型紙に板材を重ねた状態の平面図である。
【図２５】コンビバージョン（ハードガード）Ｚの拘束用カラーの蓋体用裁断板の平面図である。
【図２６】コンビバージョン（ハードガード）Ｚの拘束用カラーの斜視図である。
【図２７】コンビバージョン（ハードガード）Ｚの他の拘束用カラーの斜視図である
【図２８】同コンビバージョン（ハードガード）Ｚの拘束用カラーにおいて犬Ｓの口部（口蓋にあたる部分）を開いた状態の斜視図である。
【図２９】同コンビバージョン（ハードガード）Ｚの拘束用カラーにおいて猫Ｋの口部（口蓋にあたる部分）を開いた状態の斜視図である。
【図３０】従来の拘束用カラーの斜視図である。
【図３１】従来の他の拘束用カラーの斜視図である。
【図３２】従来の他の拘束用カラーの斜視図である。
【符号の説明】
【０１２４】
１        拘束用カラー
１−１    拘束用カラー
１−２    拘束用カラー
１−３    拘束用カラー
１Ａ      板材
１Ｂ      裁断板
１Ｂ−１  裁断板
１Ｂ−２  裁断板
２        首穴部
３        カラー部
５        穴（透孔）
６        右斜め直線
７        左斜め直線
８        型紙
８−１    型紙
８−２    型紙
９        主部
９Ａ      ヘム部
９Ｂ      ヘム部
１０      主部
１１Ａ    ヘム部
１１Ｂ    ヘム部
１２      模様穴部（透孔）
１３      ロックタイ（留め部材）
１４      主部
１４Ａ    ヘム部
１４Ｂ    ヘム部
１５      主部
１５Ａ    ヘム部
１５Ｂ    ヘム部
１６      サイズアップ用型紙
１７      主部
１７Ａ    ヘム部
１７Ｂ    ヘム部
２０      サイズアップ用裁断板
２０Ａ    ヘム部
２０Ｂ    ヘム部
２０Ｃ    主部
２３      ロックタイ（留め部材）
３０      主部
３０Ａ    ヘム部
３０Ｂ    ヘム部
３１      主部
３１Ａ    ヘム部
３１Ｂ    ヘム部
３３      ロックタイ（留め部材）
４０      蓋体用裁断板（蓋体）
４０Ａ    ヘム部
４０Ｂ    ヘム部
４１      蓋体用型紙
４１Ａ    ヘム部
４１Ｂ    ヘム部
４１Ｃ      主部
Ｓ        犬
Ｓ１      顔部分
Ｓ２      口部
Ｋ        猫（顔部分）
Ｋ２      口部
Ｐ１〜Ｐ８  接着テープ
Ｐ１０〜Ｐ１２  接着テープ
Ｐ１４〜Ｐ１７  接着テープ
Ｘ        ナチュラルバージョン（ハードガード）
Ｙ        ウォークバージョン（ソフトガード）
Ｚ        コンビバージョン（ハードガード）
【図１】
2007007250.tif 000003
【図２】
2007007250.tif 000004
【図３】
2007007250.tif 000005
【図４】
2007007250.tif 000006
【図５】
2007007250.tif 000007
【図６】
2007007250.tif 000008
【図７】
2007007250.tif 000009
【図８】
2007007250.tif 000010
【図９】
2007007250.tif 000011
【図１０】
2007007250.tif 000012
【図１１】
2007007250.tif 000013
【図１２】
2007007250.tif 000014
【図１３】
2007007250.tif 000015
【図１４】
2007007250.tif 000016
【図１５】
2007007250.tif 000017
【図１６】
2007007250.tif 000018
【図１７】
2007007250.tif 000019
【図１８】
2007007250.tif 000020
【図１９】
2007007250.tif 000021
【図２０】
2007007250.tif 000022
【図２１】
2007007250.tif 000023
【図２２】
2007007250.tif 000024
【図２３】
2007007250.tif 000025
【図２４】
2007007250.tif 000026
【図２５】
2007007250.tif 000027
【図２６】
2007007250.tif 000028
【図２７】
2007007250.tif 000029
【図２８】
2007007250.tif 000030
【図２９】
2007007250.tif 000031
【図３０】
2007007250.tif 000032
【図３１】
2007007250.tif 000033
【図３２】
2007007250.tif 000034
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
動物の首の周りに装着されて、この動物の頭と口部が、当該動物の体の他の部分に近づくのを制限する拘束用カラーにおいて、中空な截頭円錐体であって、その小径側端部で形成される前記首の周りに嵌る首穴部と、且つ前記頭側に延びていて前記口部を囲むカラー部を有し、当該カラー部に多数の透孔が形成してあることを特徴とする拘束用カラー。
【請求項２】
前記透孔が丸穴であることを特徴とする請求項１に記載の拘束用カラー。
【請求項３】
前記透孔が模様穴部で構成してあることを特徴とする請求項１に記載の拘束用カラー。
【請求項４】
前記透孔が丸穴と模様穴部とで構成してあることを特徴とする請求項１に記載の拘束用カラー。
【請求項５】
前記丸穴は直径５ｍｍ程度であり、前記丸穴の配置は、縦ピッチが１０ｍｍ程度、横ピッチが２０ｍｍ程度で行なわれていることを特徴とする請求項２又は請求項４に記載の拘束用カラー。
【請求項６】
前記模様穴部の形状は、市松模様風、三角形、菱形、楕円形、星形、花びら形等の何れかの少なくとも一つであることを特徴とする請求項３又は請求項４に記載の拘束用カラー。
【請求項７】
右斜め上から左斜め下に沿った前記丸穴の中心を全て斜めに結ぶように左斜め下に向って直線を引き、この右斜め直線は、右斜め上から左斜め下に沿った前記丸穴の一列おきに形成してあり、左斜め上から右斜め下に沿った前記丸穴の中心を全て斜めに結ぶように右斜め下に向って直線を引き、この左斜め直線は、左斜め上から右斜め下に沿った前記丸穴の一列おきに形成してあり、前記右斜め直線及び前記左斜め直線には、ゴールド色、シルバー色及びホワイト色等のいずれかの色が付けられていることを特徴とする請求項５に記載の拘束用カラー。
【請求項８】
前記カラー部に、前記右斜め直線及び前記左斜め直線に沿わせて多くの前記模様穴部を開けるようにしたことを特徴とする請求項７に記載の拘束用カラー。
【請求項９】
前記カラー部の前記口部に対向する部分に開口部を作り、この開口部を蓋体で開閉が可能になるようにしたことを特徴とする請求項１乃至請求項８の何れかの一つに記載の拘束用カラー。
【請求項１０】
略扇型形状の主部の両端部にヘム部及び出来上がりラインが形成された型紙を製作して、この型紙にパターンをサイズ別に色分けして印刷しておき、多数の透孔を形成した板材の下に前記型紙を置き、動物の首廻りを計りサイズに合わせて前記板材に前記パターンに沿った裁断線を引き、この裁断線で裁断して略扇型形状の裁断板を作製し、この裁断板を丸めることで前記出来上がりラインを合わせて前記ヘム部を重ね合い、前記透孔を利用して留め部材で前記ヘム部を互いに留めることで、中空な截頭円錐体の拘束用カラーを作製するようにしたことを特徴とする拘束用カラーの作製方法。
【請求項１１】
前記パターンは、前記拘束用カラーを必要とするペット向きサイズで、傷口等を絶対にガードし特に就寝時等見張ることの出来ない時に使用するタイプ、及び背が高く足が長いペット向きで、前記拘束用カラーを装着することで食事や散歩に支障を来たさない時に使用するタイプであるナチュラルバージョン（ハードガード）と、背が低く足が短いペットで拘束用カラーが邪魔をして歩行やマーキング等に支障をきたし、排泄が速やかに行われない時に使用するタイプ、及び眼や耳の症状で頭骸骨周辺だけをガードしたい時に使用するタイプであるウォークバージョン（ソフトガード）であることを特徴とする請求項１０に記載の拘束用カラーの作製方法。
【請求項１２】
略長方形状の主部の両端部にヘム部及び出来上がりラインが形成されたサイズアップ用型紙を製作して、このサイズアップ用型紙を多数の透孔を形成した板材の下に置き、動物の首廻りを計りサイズに合わせて前記板材に前記サイズアップ用型紙に沿った裁断線を引き、この裁断線で裁断して略長方形状のサイズアップ用裁断板を作製し、前記ナチュラルバージョン、前記ウォークバージョンのそれぞれの略扇型形状の裁断板の右辺部に前記サイズアップ用裁断板の左辺部を、前記透孔を利用して留め部材を通して数カ所を留めて接続し、前記裁断板の左辺部に、前記サイズアップ用裁断板の右辺部を、前記透孔を利用して前記留め部材を通して数カ所を留めて接続して中空な截頭円錐体にすることでサイズアップを行い、サイズダウンは前記留め部材を鋏等でカットし、新たに前記透孔を利用して狭めたい寸法分を詰め、前記留め部材で留めて中空な截頭円錐体にすることで行なうことを特徴とする請求項１１に記載の拘束用カラーの作製方法。
【請求項１３】
略扇型形状の主部の両端部にヘム部及び出来上がりラインが形成された型紙を製作して、この型紙にパターンをサイズ別に色分けして印刷しておき、多数の透孔を形成した板材の下に前記型紙を置き、動物の首廻りを計りサイズに合わせて前記板材に前記パターンに沿った裁断線を引き、この裁断線で裁断して略扇型形状の裁断板を作製し、略長方形状の主部の両端部にヘム部及び出来上がりラインが形成された蓋体用型紙を製作して、この蓋体用型紙を多数の透孔を形成した板材の下に置き、動物の首廻りを計りサイズに合わせて前記板材に前記蓋体用型紙に沿った裁断線を引き、この裁断線で裁断して略長方形状の蓋体用裁断板を作製し、前記裁断板の右辺部に前記蓋体用裁断板の左辺部を、前記透孔を利用して留め部材を通して数カ所を留めて接続し、前記裁断板の左辺部に前記蓋体用裁断板の右辺部を、前記透孔を利用して前記留め部材を通して数カ所を留めて接続して中空な截頭円錐体の拘束用カラーを作り出し、この拘束用カラーの小径側端部で形成される首穴部側の前記留め部材を残し且つ他の前記留め部材を外すことで前記蓋体用裁断板の捲りを可能にして、前記拘束用カラーのカラー部に開口部を形成するようにしたことを特徴とする拘束用カラーの作製方法。
【請求項１４】
前記パターンは、背が低く足が短いペット向きで、前記拘束用カラーが邪魔をして飲食がし難い時に使用するタイプであるコンビバージョン（ハードガード）であることを特徴とする請求項１３に記載の拘束用カラーの作製方法。
【手続補正２】
【補正対象書類名】明細書
【補正対象項目名】全文
【補正方法】変更
【補正の内容】
【発明の詳細な説明】
【技術分野】
【０００１】
本発明は、猫または犬のようなペット等の動物のための獣医用保護装置に係わり、特に、動物の口部が動物の口部以外の部分に近づくのを制限するために、動物の首の周りに装着される拘束用カラーと、この拘束用カラーの作製方法に関する。
【背景技術】
【０００２】
一般に、獣医用の拘束用カラーは、長年の間、動物が体に傷を有するとき、この傷を舐める等のことから保護する必要のある場合、動物に外科的処置を行う場合に、最も頻繁に用いられている。
【０００３】
そのような代表的な拘束用カラーは、中空な截頭円錐体に形成される、比較的堅い合成樹脂材料又は他の比較的剛性な材料からなり、その拘束用カラーは、動物の首の周りにぴったりと嵌る小径側端部で形成される首穴部を有し、且つ動物の頭側に延びていて動物の口部を実質的に囲むカラー部を有する。したがって、拘束用カラーは、その外観の為にエリザベスカラーと言われている。
【０００４】
そして、従来の拘束用カラー１−４としては、図３０に示すように、中空な截頭円錐体に形成されるが、主に獣医師及び飼育係等が家畜等の為に、既存の比較的堅い合成樹脂板、ゴム、ダンボール等を使い、家畜のサイズに合わせ、略扇型（メガホンを切り開いた形）にカットし、このカットした板材４３を筒状に繋ぎ合せて首穴部４８及びカラー部４２を形成し、板材４３の重なり合う両端部に三対の穴４４を開けて、一対の穴４４ごとにロックタイ（またはドットボタン等）４５で留めることで作製しているようである。
このような拘束用カラー１−４にはどれも色が付いており、その材料が只の板状である為に、多くの問題を抱えており、動物への配慮に欠け好ましくない。
【０００５】
また、既存品である、例えば図３１に示すような、比較的薄い合成樹脂や撥水加工させた紙にアコーデオンプリーツ４６を施して中空な截頭円錐体形状にして首穴部４８及びカラー部４２を形成した拘束用カラー１−４や、図３２に示すような、猫用、小型犬用の薄いラミネート（透明な板状）にロゴマークや模様４７が色付けしてある拘束用カラー１−４等、どれも動物への配慮に欠けて望ましいものではない。
超大型犬用の拘束用カラーではプラスティックの植木鉢の底をくり抜き使用している例もある。
【０００６】
また、拘束用カラーに関連するものとしては、エリザベスカラー固定用紐と、このエリザベスカラー固定用紐を用いたエリザベスカラーの装着方法が公報に開示してある。
すなわち、紐の中央に取り付けた係止具を、動物の首に装着したエリザベスカラーの喉に当たる部分にしっかり固定して、紐を左右の両肩に回して背中で交叉させ、襷掛けにした紐の両端に取り付けた係止具をそれぞれエリザベスカラーの両側部に固定する。
三個の係止具は、エリザベスカラーの内周縁をほぼ三等分する位置に固定する。しかる後、紐を強く引っ張って弛みをなくし、エリザベスカラーの縁が皮膚に食い込むほどがっちりと肩部に押しつけて固定する（特許文献１参照）。
【特許文献１】実開平６−５２８０９号公報
【発明の開示】
【発明が解決しようとする課題】
【０００７】
上記した従来の拘束用カラー１−４にあっては、次に述べる第１〜第１１の問題点がある。
【０００８】
第１の問題点は、視界が狭くなることによる恐怖感の回避がなされていないことである。すなわち、始めて拘束用カラーを装着する対象動物であるペットの多くは、始めて首輪を装着された時と同様に気が狂う程の違和感を覚え、ペットによっては数十分から疲れ果てるまで、慣れるまで暴れる現象がみられている。一つには、視界が狭くなり周りを見渡すことができず恐怖感に襲われると推測する。
この為に兎のような小動物に至ってはショック死をしてしまうこともあり、視界が遮られることへの不安は図りしれない。本能として生まれ持つ感覚、敵を感知できない恐怖感は拭い去らなければならない。
【０００９】
第２の問題点は、通気性の悪さによる二次的感染の防止対策がなされていないことである。すなわち、縫合部や傷口、病気が完治するまで数日間から長い時は何箇月も装着を必要とする為に、耳の垂れている盲導犬のラブラドールレトリーバーやビーグルが従来の拘束用カラーを二週間装着した結果、耳が蒸れ、耳ダニが増殖する等、耳道からの感染により結膜炎を併発する等、通気性の悪さが原因で起こる感染症の実証例は数多く、病気等を治す為に通院することで、適切な医療用品のないために起こる二次的感染は防がなければならない。
【００１０】
第３の問題点は、先天性の脊髄損傷や老化による頚椎への負担、軽量化の対策がなされていないことである。すなわち、先天性の脊髄損傷や老化による為に、頚椎等への負担を軽減しなければならない病気等もあり、特に異なる病気との併発時には、拘束用カラーの軽量化は必要不可欠である。
軽量化することにより動作が楽になり、歩行も有意義に行われる。外で排泄行為を済ませるペットにとっては散歩時の負担が軽減され、特に小型、中型の余り背の高くないペットにとっては、拘束用カラーが大きく重たいと引きずってしまい、鼻先を地面に近づけ難い為に臭いを嗅ぎ分ける仕種が困難になり、マーキング等に支障をきたし排泄行為の妨げになる。
【００１１】
第４の間題点は、既存の拘束用カラーの儘では、ペットの性格により稀に首から抜ける時があり、この安全対策がなされていないことである。首のサイズに合わせ拘束用カラーを作製するので頭蓋骨が邪魔をして抜けない筈であるが、ペットの行動力は我々の想像を遙かに越えている為に渾身の力を振り絞り脱却を図るらしい。飼い主等が見張れない時、就寝中等のことを考えて安全対策の必要性が求められる。
【００１２】
第５の間題点は、ペットと飼い主、双方の利便性、機能性が考慮されていないことである。ペットの楽しみの中に餌の時間がある。飼い主の都合やペットの状態により日に何度かあり、その都度拘束用カラーを外すことは時間が掛かり、患部の位置により傷口の悪化を招き望ましいことではない。
拘束用カラーを付けたままの飲食はペットにとり非常に困難であり、人が餌入れを持ち拘束用カラーの下から与えたり、水を早く飲みたい一心で慌てて水入れを押しやり零す等、口蓋の両脇から涎とともに垂れ落ちる水の逃げ場がないた為に顎の下の首周りが濡れ湿気によるマラセチア菌の増殖にも繋がり、従来の拘束用カラーは只の筒であるために望ましくなく、もう少し双方の利便性を考慮した機能性のある拘束用カラーの必要性が求められている。
【００１３】
第６の問題点は、ペットの精神的負担の軽減（ストレス解消等）がなされていないことである。すなわち、拘束用カラーは、それでなくても不快極まりない邪魔なものであり、特に、一寸した動ける病気や怪我のペットには堪らなそうで、なかなか外すことのできない苛立ちに何度も同じことを繰り返しやがて疲れ果て眠る。
このストレスが数日間で済めばまだよいのだが、動くことも儘ならない重症患畜や何箇月も装着しなければならない状態で只、ひたすらに耐えることを覚えたペットのストレスは解消しなければならない。
【００１４】
第７の問題点は、獣医師及び飼育係が費やす拘束用カラーの製作時間や方法に合理性が欠けていることである。本来、動物の治療や研究、世話等に全精力を傾けなければならない立場にいる彼らが、その都度サイズを計り、形を描き作製する。その仕上がりには斑があり、合わなければ再度作り直す。その手間やセンスは、彼らの責任の範囲を遙かに超えた問題である。
一度でも人工的な痛みを経験したペットは、トラウマにより、病院等の扉を潜った瞬間から、不自然な換毛が始まり、全身から上毛が抜け落ちる等の心身のバランスを崩す実証例等から拘束用カラーの合理性が多少ならずと病院等での待ち時間の短縮に繋がるのではないかと考えられ、改善策が必要とされる。
【００１５】
第８の問題点は、用品としてのデザイン性が欠けていることである。これだけのペット産業時代に、デザイン性を持つ拘束用カラーは見受けられず、また、獣医師及び飼育係の努力の賜物である拘束用カラーも重苦しく、不自由そうである。
何処からでもペットの顔が観られないことは見守る者をも不安にさせ状態の判断ができず不都合である。表情を把握できるようにデザイン性を持たせ見守る者を癒す効果のあるファッション性に富んだ拘束用カラーが必要とされ、デザイン性を持つことが病状の悪化を防ぐことにも繋がる。
【００１６】
第９の問題点は、拘束用カラーには使い捨て（ゴミ）が多く見られ、無駄で経済性に欠けていることである。第１０の問題点は、上記の拘束用カラーが（ゴミ）として環境を破壊し、環境破壊対策が成されていないことである。
そして、第１１の問題点は、我々が何度でも再使用できる習慣を持った知能的で、洗浄や消毒が繰り返しできる衛生的な、耐久性に富んだ拘束用カラーのないことである。
【００１７】
従来の拘束用カラーの使用方法は、大半の人々が動物病院にかかり、必要に迫られ利用する。次に又拘束用カラーを使用する時が来よう等と、完治した後には到底想像も付かず、幸せな日常に戻る。しかし、動物病院に通えるペットの多くは又、拘束用カラーを利用せざるを得ない時を多々迎えることがある。
【００１８】
このように、望ましくないことが多々起こる上で、その都度の拘束用カラーの作製に関しては、時間と費用の無駄使いばかりか、塵をも増やし続けることに繋がり地球の未来にとって望ましいことではない。一日も早い理想的な拘束用カラーの開発が望まれており、ペットの性格を一番良く把握する飼い主が主となり、獣医師等とのコラボレーションの上に作製できる拘束用カラーの出現が望まれる。
【００１９】
拘束用カラーを必要としなければならない四足動物の成長過程に於ける骨格の変化は小型体系と大型体系とでは著しく異なるようだが、中型体系以上のペットには生涯に幾つかの拘束用カラーが必要とされるようである。その為の、幼少期用、成長期用との区別分けは止むを得ないが、その成長過程に於ける少々のサイズアップやサイズダウンが誰にでも簡単にリフォームできることが望まれ、使い捨てることなく、何度でも直すことができ再使用できる拘束用カラーの出現が待たれている。
【００２０】
いくらペットの拘束用カラーと言ってもこれだけのペット産業時代、『我々の一部の経済は彼らの温床の上に成り立っている』と言っても過言ではなく、もう少しペット及び装着させる側の機能性を考慮した用品の開発が待たれている。人と生活していく上で用品としてのデザイン性は欠くことのできない問題であり、拘束用カラーを装着しなければならない辛い時こそ、装着させる人々とペット双方の重苦しい気分の軽減が必要とされる。
【００２１】
観ているだけでそのような気分が解消できる、デザインに優れたファッション性溢れるペットにとって付け心地の良い拘束用カラーの一日も早い開発が望まれる。
【００２２】
本発明は上記した問題点を解決するものであり、その第１の目的とするところは、ペットから恐怖感を拭い去り、装着することで起こる二次的感染を防ぎ、肉体的負担を和らげ、軽く清潔で安全性と機能性の配慮された、見慣れた景色や好きな人がいつでも見える、デザイン性に優れる理想的な拘束用カラーを提供することである。
【００２３】
また、本発明の第２の目的とするところは、パターン化させることにより合理性が増しリフォーム（サイズ直し）が可能になり、塵を少なくし地球環境に優しい拘束用カラーが提案でき、飼い主が主となりペットのサイズに合う拘束用カラーを獣医師等とコラボレートすることで作製できる拘束用カラーの作製方法を提供することである。
【課題を解決するための手段】
【００２４】
上記の第１の目的を達成するために、本発明に係る拘束用カラーは、動物の首の周りに装着されて、この動物の頭と口部が、当該動物の体の他の部分に近づくのを制限する拘束用カラーにおいて、中空な截頭円錐体であって、その小径側端部で形成される首の周りに嵌る首穴部と、且つ頭側に延びていて口部を囲むカラー部を有し、当該カラー部に多数の透孔が形成してあることを特徴とする。
【００２５】
そして、透孔が丸穴であることが好ましく、透孔が模様穴部で有ることが好ましく、更に、透孔が丸穴と模様穴部とで構成してあることが好ましい。また、丸穴は直径５ｍｍ程度であり、丸穴の配置は、縦ピッチが１０ｍｍ程度、横ピッチが２０ｍｍ程度で行なわれることが好ましい。
【００２６】
かかる構成により、カラー部に設けた多数の透孔（丸穴及び模様穴部もしくは丸穴と模様穴部）から、周りが見渡せるようになる為に、視界が広がりペットの恐怖感が回避でき、また、いつも好きな人の顔が見えるようになり、見慣れた景色の中で安心して治療や療養ができストレスの解消になり、風通しが良くなり二次的感染を防ぐことができる。
【００２７】
また、この多数の透孔等により軽量化が可能になり、首、脊髄等の肉体的負担の軽減に機能性を持たせることができ、バリエーションに富んだウォークバージョン等の拘束用カラーが提案でき、散歩等が容易になり利便性が向上し、更に、透孔を留め部材の留め穴として利用し、首輪やハーネスと連結させることができ安全性が増すようになる。
【００２８】
また、本発明に係る拘束用カラーは、上記した本発明に係る拘束用カラーにおいて、模様穴部の形状は、市松模様風、三角形、菱形、楕円形、星形、花びら形等の何れかの少なくとも一つであることを特徴とする。
【００２９】
かかる構成により、模様穴部の形状を、市松模様風、三角形、菱形、楕円形、星形、花びら形等の何れかの少なくとも一つにして、拘束用カラーにデザイン性を持たせれば、拘束用カラーのデザイン性やファッション性が増し、見守る者を癒すことができる。
【００３０】
また、本発明に係る拘束用カラーは、上記した本発明に係る拘束用カラーにおいて、右斜め上から左斜め下に沿った丸穴の中心を全て斜めに結ぶように左斜め下に向って直線を引き、この右斜め直線は、右斜め上から左斜め下に沿った丸穴の一列おきに形成してあり、左斜め上から右斜め下に沿った丸穴の中心を全て斜めに結ぶように右斜め下に向って直線を引き、この左斜め直線は、左斜め上から右斜め下に沿った丸穴の一列おきに形成してあり、右斜め直線及び左斜め直線には、ゴールド色、シルバー色及びホワイト色等のいずれかの色が付けられていることを特徴とする。
【００３１】
かかる構成により、これらの右斜め直線及び左斜め直線はゴールド色、シルバー色、ホワイト色等のいずれかの色が付けられているために、模様穴部が開けやすくなる。また、対象動物の眼への負担を少しでも無くすことが可能になる。また、ラブラドールレトリーバー（茶）や柴犬、ポメラニアン等にはゴールド色、ラブラドールレトリーバー（黒）やハスキー（グレー系）ウルフハウンド等にはシルバー色、マルチーズ、スピッツ等にはホワイト色をとファッション性を持たせ見守る者を楽しませ癒しの効果を持たせることが可能になる。
【００３２】
また、本発明に係る拘束用カラーは、上記した本発明に係る拘束用カラーにおいて、カラー部に、右斜め直線及び左斜め直線に沿わせて多くの模様穴部を開けるようにしたことを特徴とする。
【００３３】
かかる構成により、右斜め直線及び左斜め直線はゴールド色、シルバー色、ホワイト色等のいずれかの色を付けて、対象動物の眼への負担を少しでも無くし、ファッション性を持たせ見守る者を楽しませ癒しの効果を持たせることに加えて、カラー部に設けた多数の模様穴部から周りが見渡せるために、視界が広がりペットの恐怖感の回避でき、また、見慣れた景色や好きな人の顔が見られるようになり、ストレスの解消ができるばかりか、風通しが良くなり通気性に富み二次的感染を防ぐことができるようになる。
【００３４】
また、カラー部に多数の模様穴部を設けることにより軽量化を可能にさせ、首、脊髄等の負担の軽減を図り、バリエーションに富んだウォークバージョン等の拘束用カラーが提案できて、散歩、食事等が容易になるように利便性、機能性を向上させることができる。更に、模様穴部を留め部材の留め穴として利用して、拘束用カラーと首輪やハーネスを連結させ、安全が確保できる。
【００３５】
また、本発明に係る拘束用カラーは、上記した本発明に係る拘束用カラーにおいて、カラー部の口部に対向する部分に開口部を作り、この開口部を蓋体で開閉が可能になるようにしたことを特徴とする。
【００３６】
かかる構成により、ペットの口蓋にあたる部分を開くようなバリエーションに富んだコンビバージョン等の拘束用カラーが提案できて、食事等が容易になるように利便性、機能性を向上させることができる。
【００３７】
また、上記の第２の目的を達成するために、本発明に係る拘束用カラーの作製方法は、略扇型形状の主部の両端部にヘム部及び出来上がりラインが形成された型紙を製作して、この型紙にパターンをサイズ別に色分けして印刷しておき、多数の透孔を形成した板材の下に型紙を置き、動物の首廻りを計りサイズに合わせて板材にパターンに沿った裁断線を引き、この裁断線で裁断して略扇型形状の裁断板を作製し、この裁断板を丸めることで出来上がりラインを合わせてヘム部を重ね合い、透孔を利用して留め部材でヘム部を互いに留めることで、中空な截頭円錐体の拘束用カラーを作製するようにしたことを特徴とする。
【００３８】
そして、透孔が丸穴であることが好ましく、透孔が模様穴部で有ることが好ましく、更に、透孔が丸穴と模様穴部とで構成してあることが好ましい。
【００３９】
また、本発明に係る拘束用カラーの作製方法は、上記した本発明に係る拘束用カラーの作製方法において、パターンは、拘束用カラーを必要とするペット向きサイズで、傷口等を絶対にガードし特に就寝時等見張ることの出来ない時に使用するタイプ、及び背が高く足が長いペット向きで、拘束用カラーを装着することで食事や散歩に支障を来たさない時に使用するタイプであるナチュラルバージョン（ハードガード）と、背が低く足が短いペットで拘束用カラーが邪魔をして歩行やマーキング等に支障をきたし、排泄が速やかに行われない時に使用するタイプ、及び眼や耳の症状で頭骸骨周辺だけをガードしたい時に使用するタイプであるウォークバージョン（ソフトガード）であることを特徴とする。
【００４０】
したがって、ナチュラルバ−ジョン（ハードガード）として使用する拘束用カラーは、略扇型形状の裁断板の透孔を利用して留め部材を通して数カ所を留めて接続して中空な截頭円錐体を作り出すことができる。
【００４１】
また、ウォークバージョン（ソフトガード）として使用する拘束用カラーとして、そのカラー部が動物の首から鼻先までの長さが短いものを作製することができる。
【００４２】
また、本発明に係る拘束用カラーの作製方法は、上記した本発明に係る拘束用カラーの作製方法において、略長方形状の主部の両端部にヘム部及び出来上がりラインが形成されたサイズアップ用型紙を製作して、このサイズアップ用型紙を多数の透孔を形成した板材の下に置き、動物の首廻りを計りサイズに合わせて板材にサイズアップ用型紙に沿った裁断線を引き、この裁断線で裁断して略長方形状のサイズアップ用裁断板を作製し、ナチュラルバージョン、ウォークバージョンのそれぞれの略扇型形状の裁断板の右辺部にサイズアップ用裁断板の左辺部を、透孔を利用して留め部材を通して数カ所を留めて接続し、裁断板の左辺部に、サイズアップ用裁断板の右辺部を、透孔を利用して留め部材を通して数カ所を留めて接続して中空な截頭円錐体にすることでサイズアップを行い、サイズダウンは留め部材を鋏等でカットし、新たに透孔を利用して狭めたい寸法分を詰め、留め部材で留めて中空な截頭円錐体にすることで行なうことを特徴とする。
【００４３】
したがって、再使用またはリフォーム（サイズ直し）ができ、無駄がなく地球環境に優しいものになる。すなわち、パターン化させリフォーム（サイズ直し）を可能にさせることにより塵が少なくなり、使い捨てにしない注意を（説明書に写真や図解を交え）呼びかけ、飼い主が主になり拘束用カラーを作製し無駄をなくすことができる。
【００４４】
したがって、拘束用カラーを必要とするタイプは、ペットの性格により、幼少期と成長期の生涯で、生産１つ〜３つのタイプに済ませるように配慮出来るので経済的である。
【００４５】
また、上記の第２の目的を達成するために、本発明に係る拘束用カラーの作製方法は、
略扇型形状の主部の両端部にヘム部及び出来上がりラインが形成された型紙を製作して、この型紙にパターンをサイズ別に色分けして印刷しておき、多数の透孔を形成した板材の下に型紙を置き、動物の首廻りを計りサイズに合わせて板材にパターンに沿った裁断線を引き、この裁断線で裁断して略扇型形状の裁断板を作製し、略長方形状の主部の両端部にヘム部及び出来上がりラインが形成された蓋体用型紙を製作して、この蓋体用型紙を多数の透孔を形成した板材の下に置き、動物の首廻りを計りサイズに合わせて板材に蓋体用型紙に沿った裁断線を引き、この裁断線で裁断して略長方形状の蓋体用裁断板を作製し、裁断板の右辺部に蓋体用裁断板の左辺部を、透孔を利用して留め部材を通して数カ所を留めて接続し、裁断板の左辺部に蓋体用裁断板の右辺部を、透孔を利用して留め部材を通して数カ所を留めて接続して中空な截頭円錐体の拘束用カラーを作り出し、この拘束用カラーの小径側端部で形成される首穴部側の留め部材を残し且つ他の留め部材を外すことで蓋体用裁断板の捲りを可能にして、拘束用カラーのカラー部に開口部を形成するようにしたことを特徴とする。
【００４６】
そして、透孔が丸穴であることが好ましく、透孔が模様穴部で有ることが好ましく、更に、透孔が丸穴と模様穴部とで構成してあることが好ましい。
【００４７】
そして、パターンは、背が低く足が短いペット向きで、前記拘束用カラーが邪魔をして飲食がし難い時に使用するタイプであるコンビバージョン（ハードガード）であることを特徴とする。
【００４８】
したがって、コンビバージョン（ハードガード）として使用する拘束用カラーとして、多数の透孔を有する板材で、略扇型形状の裁断板と略長方形状の蓋体用裁断板を作製して、裁断板の左、右辺部及び蓋体用裁断板の左、右辺部に、ヘム部及び出来上がりラインを形成し、裁断板の右辺部に蓋体用裁断板の左辺部を、透孔を利用して留め部材を通して数カ所を留めて接続し、裁断板の左辺部に蓋体用裁断板の右辺部を、透孔を利用して留め部材を通して数カ所を留めて接続して中空な截頭円錐体を作り出し、尚且つ、蓋体用裁断板の数カ所（上、中、下）に留められた留め部材は、リピートタイ及び面ファスナー等で開閉出来るようになる。したがって、コンビバージョン（ハードガード）として使用する拘束用カラーの作製が容易になる。
【発明の効果】
【００４９】
本発明に係る拘束用カラーによれば、カラー部に設けた多数の透孔（丸穴または模様穴部もしくは丸穴と模様穴部）より、ペットの視界が広がり見慣れた景色や好きな人がいつでも見えるようになる為に精神的負担（恐怖感やストレス）が少なくなり、また、とても風通しが良くなるために二次感染の防止になり、今までより、より一層軽くなるために肉体的負担も減り、透孔を利用して安全性が確保でき、更に、機能性が配慮されることによりペットと見守る者、双方が便利になり、デザイン性をもつことで見守る者が癒され、ファション性に溢れることで多くの人々に希望を与え、必要とされ、愛される効果を有する理想的な拘束用カラーとして効果が発揮できる。
【００５０】
また、本発明の拘束用カラ−の作製方法に基づけば、パターン化することにより一定の材料に図を転写し其れをサイズに合わせカットすればよくなる為、又、サイズ展開を多くし、カットした物として販売に至れば、（各バージョンを、例えば、大サイズ、中サイズ、小サイズ等に分ける）獣医師等の時間の削減が可能になり、誰にでも簡単に美しい拘束用カラーが作製でき、使い捨てにしない何度でも洗い消毒ができ、再使用または、リフォーム（サイズ直し）が可能であることを（説明書に写真や図形を交え）提案していくことができる。よって経済的で合理性を兼ね備えた環境破壊に優しい拘束用カラーが提供できる。
【００５１】
また、合理的にパターン化させることで製作時間の短縮が図れ、リフォーム（サイズ直し）が可能になり経済的で、塵を少なくし地球環境に優しい拘束用カラーが提案でき、飼い主か主となりペットのサイズに合うバリエーションに富んだ拘束用カラーを獣医師等とコラボレートすることで作製できるように提案ができ効果は倍増される。
【発明を実施するための最良の形態】
【００５２】
以下、本発明に係る拘束用カラーと、この拘束用カラーの作製方法とのそれぞれの実施の形態を図面に基づいて説明する。
【００５３】
拘束用カラー１、１−１は、対象動物（ここでは犬もしくは猫）に付けて用いられ、対象動物の頭と口部が体の他の部分に近づくのを制限するものである。このような拘束用カラー１、１−１は、治療した切り傷または感染若しくは治癒している外科的切り口のような、敏感な領域が体、足または尾にあるとき、或いは、頭や顔や耳を傷つけること、すなわちこれを歯や足の瓜で噛んだり、引っ掻くことを制御すべきであるときに用いられる。
【００５４】
図１、図２、図８及び図１４に示すように、拘束用カラー１、１−１は、中空な截頭円錐体を成しており、その小径側端部で形成される対象動物である犬Ｓの首周りに嵌める首穴部２と、且つ頭側に延びていて口部を実質的に囲むカラー部３を有している。
そして、このカラー部３には多数の透孔としての単なる丸穴５が形成してある。なお、多数の丸穴５は、後述する直径が５ｍｍ程度のものであり、犬Ｓが中型の場合であって、前足及び後足があまり小さくなく、爪が大きいので爪が多数の丸穴５を通して身体に達することがない。超小型犬や猫は直径を小さくするものとする。
【００５５】
上記のように構成された、図１に示すナチュラルバージョン（ハードガード）Ｘである拘束用カラー１は犬Ｓに装着される。この装着は、図１に示すように犬Ｓの顔部分Ｓ１を首穴部２に鼻先から頭を通し首までに装着させ、この首穴部２の周部に形成された丸穴５の何れか（または後述する模様穴部１２）に、留め部材としてロックタイ（または、リピートタイ、面ファスナー等）１３を通して犬Ｓの首輪Ｔ等に留めることで行われる。この拘束用カラー１では、犬Ｓの顔部分Ｓ１の全部を覆うことになる。拘束用カラー１を嫌がらないタイプには首輪Ｔ等に留める必要はない。
【００５６】
また、拘束用カラー１−１が、図２に示すウォークバージョン（ソフトガード）Ｙである場合には、犬Ｓに装着された時、この拘束用カラー１−１では、犬Ｓの顔部分Ｓ１や前部分がカラー部３の位置になる。
即ち、拘束用カラー１−１から鼻先が少し（５ｃｍ〜１０ｃｍ位）出るようになり散歩に適すサイズとなり、マーキング等の行為がし易く、排泄行為の手助けに役立ち利便性が増す。但し、このサイズの場合は、頭蓋骨部周辺の怪我や病気（耳、眼等）には適すが、その他の症状等の場合にはその限りではなく、飼い主等の見張りを必要とするものである為獣医師や飼い主等が選択出来る提案も図るものである。
【００５７】
次に、拘束用カラー１のバリエーションの中のコンビバージョン（ハードガード）Ｚである拘束用カラー１−３は、図２６乃至図２９に示すように、背が低く足の短い動物等のために、ナチュラルバージョン（ハードガード）Ｘの応用編として、中空な截頭円錐体の上部から口蓋下、顎下を通り首の付け根あたりまで開口部を形成して、この開口部を蓋体（図２８及び図２９における蓋体用裁断板４０）で開閉出来るようにして、この蓋体を外側に巻き込むことにより開口部を開くことが出来るようにしたものであり、鼻先より５ｃｍ位も突き出ている拘束用カラー１を、その都度取り外すことなく、患部を触らずに、飲食を容易に出来るようにもするためである。
【００５８】
また、ナチュラルバージョン（ハードガード）Ｘには、図１に示すように、カラー部３に多数の丸穴５を設けることで拘束用カラー１の軽量化が可能になり、首、脊髄等の負担の軽減に繋がり、風通しが良くなり、通気性に富み二次的感染を防ぎ、首輪やハーネスに接続することで安全性を得ることができ、デザイン性も増し、観る者を癒すことができる。
【００５９】
また、ウォークバージョン（ソフトガード）Ｙにも、図２に示すように、カラー部３に多数の丸穴５が設けてあるために、通気性、軽量化、安全性等、その他の様々な利点が確保でき、鼻先を少し（５ｃｍ〜１０ｃｍ位）出るサイズにする為、散歩向きでマーキング等の行為がし易く、排泄の手助けに役立ち、利便性か増す。また、頭骸骨周辺のガード向き用である。
【００６０】
また、コンビバージョン（ハードガード）Ｚにも、図２６及び図２７に示すように、カラー部３１に多数の丸穴５（または後述する模様穴部１２）を設けることで、通気性、軽量化、安全性等、その他の様々な利点が確保できると共に、蓋体（図２８及び図２９における蓋体用裁断板４０）にも多数の丸穴５（または後述する模様穴部１２）が設けてある。
蓋体（図２８及び図２９における蓋体用裁断板４０）を開閉させることにより、更に、飲食が安易にできるようになって利便性が増す。
【００６１】
更に、首穴部２の局部に形成された丸穴５を通し穴として用いロックタイ３３（または、リピートタイや面ファスナー等）を通して犬Ｓに留めるようにすることができる。
【００６２】
拘束用カラー１を使用する対象動物の爪や舌等が、単なる透孔より傷口に触れる危険性が見受けられない時は、通気性を考慮し、図１０に示すように、デザイン性を持たせ、周りが見渡せるように拘束用カラー１に多数の丸穴５を残したまま多数の透孔として模様穴部１２が形成される。これらの模様穴部１２の大きさは対象動物の大きさにより異なり、模様穴部１２の数は必要に応じ変わる。
模様穴部１２の形状は市松模様風の他に、三角形、菱形、楕円形、星形、花びら形等がある。なお、模様穴部１２は、図面において菱形の黒塗り部分で表示してある。
【００６３】
上記したように、カラー部３に多数の丸穴５と多数の模様穴部１２が設けてあるために、これらの多数の丸穴５と多数の模様穴部１２からは、更に風通しが良くなり通気性を有することが倍増され二次的感染を防ぐことに望ましく、そのことにより、益々軽量化が可能になり首、脊髄等への肉体的負担が軽減され、また、より一層周りが見渡せるようになる為視界が一段と広がり、恐怖感が更に回避でき、見慣れた景色や好きな人の顔が鮮明に見られるようになることから安心感を得られストレスの解消に絶大な効果をもたらし、精神的負担の軽減に繋がる。
【００６４】
また、上記に更に、機能性を持たせることにより、飲食や散歩が容易になり、ペットや飼い主の利便性が増し、バリエーションに富んだ拘束用カラーとして、図２に示すウォークバージョン（ソフトガード）Ｙや図２８及び図２９に示すコンビバージョン（ハードガード）Ｚ等が提案できる。
【００６５】
そして更に、その丸穴５と模様穴部１２を用いて留め部材の留め穴として利用し、面ファスナーやリピートタイ１３を通して犬Ｓの首輪Ｔ等に留めるようにすることができ安全性も確保できる。
【００６６】
次に、本発明に係る拘束用カラーの作製方法を説明する。
【００６７】
拘束用カラー１、１−１、１−２、１−３は、乳白色もしくは透明で柔らかい合成樹脂製の板材１Ａを主な材料としている。この板材１Ａには、図３に示すように、直径５ｍｍ程度の丸穴５が、縦ピッチが１０ｍｍ程度、横ピッチが２０ｍｍ程度で多数形成してある。
【００６８】
そして、図４に示すように、右斜め上から左斜め下に沿った丸穴５の中心を全て斜めに結ぶように左斜め下に向って直線６が引いてあり、この右斜め直線６は、右斜め上から左斜め下に沿った丸穴５の一列おきに形成されている。
同様に、左斜め上から右斜め下に沿った丸穴５の中心を全て斜めに結ぶように右斜め下に向って直線７が引いてあり、この左斜め直線７は、左斜め上から左斜め下に沿った穴５の一列おきに形成されている。
【００６９】
これらの右斜め直線６及び左斜め直線７はゴールド色、シルバー色、ホワイト色等のいずれかの色が付けてあるために、模様穴部１２が開けやすくなる。また、ラブラドールレトリーバー（茶）や柴犬、ポメラニアン等にはゴールド色、ラブラドールレトリーバー（黒）やハスキー（グレー系）ウルフハウンド等にはシルバー色、マルチーズ、スピッツ等にはホワイト色をとファッション性を持たせ、見守る者を楽しませ癒しの効果を持たせてある。
【００７０】
拘束用カラー１、１−１、１−２、１−３は、上記した板材１Ａを裁断して形成されるものであるが、この裁断にあたって、まず、略扇型形状の型紙が製作される。この型紙は薄いボール紙（または、薄い合成樹脂板等）を略扇型形状または略長方形状に切抜いて作製される。
【００７１】
すなわち、型紙には、図５に示すナチュラルバージョン（ハードガード）Ｘの略扇型形状の型紙８と、図１１に示すウォークバージョン（ソフトガード）Ｙの略扇型形状の型紙８−１と、図１６に示す略長方形状のサイズアップ用型紙１６と、図２０に示すコンビバージョン（ハードガード）Ｚの略扇型形状の型紙８−２と、図２３に示す略長方形状の蓋体用型紙４１とがある。
【００７２】
この時に必要とするパターンの選択をする。例えば、サイズ大、中、小の中から、ペットの性格や症状により選び出す。ナチュラルバージョン（ハードガード）Ｘとしては、拘束用カラーを必要とするペット向きサイズで、傷口等を絶対にガードし特に就寝時等見張ることの出来ない時に使用するタイプ、及び背が高く足が長いペット向きで、拘束用カラーを装着することで食事や散歩に支障を来たさない時に使用するタイプがあり、ウォークバージョン（ソフトガード）Ｙとしては、背が低く足が短いペットで拘束用カラーが邪魔をして歩行やマーキング等に支障をきたし、排泄が速やかに行われない時に使用するタイプ、及び眼や耳の症状で頭骸骨周辺だけをガードしたい時に使用するタイプがあり、コンビバージョン（ハードガード）Ｚとしては、背が低く足が短いペット向きで、拘束用カラーが邪魔をして飲食がし難いタイプ等がある。
また、これらの組み合わせは、ペットの性格により飼い主等が複数を選び出すことが可能になる。
【００７３】
ナチュラルバージョン（ハードガード）Ｘの拘束用カラー１の作製方法を、図５乃至図１０を参照して説明する。
【００７４】
ナチュラルバージョン（ハードガード）Ｘの型紙８には、図５に示すように、略扇型形状の主部９の両端部にヘム部９Ａ、９Ｂが形成される。なお、図５中ａ、ｂは出来上がりラインであり、点線で描かれる曲線は犬の体型別のガイドラインである。
【００７５】
次に、図６に示すように、使用する側が選んだナチュラルバージョン（ハードガード）Ｘの型紙８を板材１Ａの下に置きペットの首廻りを計りサイズに合わせ鉛筆等で板材１Ａに型紙８に沿った裁断線を引き、この裁断線に合わせて裁断する。裁断された板材、すなわち裁断板１Ｂには、図７に示すように、型紙８と同様に略扇型形状の主部１０と、この主部１０の両端部のヘム部１１Ａ、１１Ｂと出来上がりラインａ１、ｂ１が形成される。
【００７６】
そして、拘束用カラー１を使用する対象動物（犬、猫）が小さい場合には、前足及び後足が小さく爪も細いので、多数の丸穴５を有する裁断板１Ｂをそのまま使用する。
【００７７】
そして、図７に示すように、裁断板１Ｂには、そのヘム部１１Ａの外側角部をＡ、内側角部をＣ、出来上がりラインａ１の内、外端部をイ、ロとし、また、ヘム部１１Ｂの外側角部をＢ、内側角部をＤ、出来上がりラインｂ１の内、外端部をハ、ニとした場合に、裁断板１ＢのＡ〜Ｂ間の外縁部に接着テープＰ１を貼り、ヘム部１１ＡのＡ〜Ｃ間の端縁部に接着テープＰ２を貼り、ヘム部１１ＢのＢ〜Ｄ間の端縁部に接着テープＰ３を貼り、裁断板１ＢのＣ〜Ｄ間の内縁部に接着テープＰ４を貼る。
【００７８】
そして、図８に示すように、裁断板１Ｂを丸めることで、出来上がりラインａ１と出来上がりラインｂ１とを合せ、すなわち、ロとニとを合せ、イとハとを合わせて、両ヘム部１１Ａ、１１Ｂを重ね合せ、両ヘム部１１Ａ、１１Ｂに形成されている丸穴５を利用してロックタイ（またはリピートタイ、面ファスナー等）１３で数カ所留めることで、中空な截頭円錐体の拘束用カラー１を作製する。
【００７９】
また、拘束用カラー１を使用する対象動物（犬、猫）が比較的大きい場合（中型以上）は前足及び後足が大きく爪も太いので、裁断板１Ｂには多数の模様穴部１２が形成される。
すなわち、裁断板１Ｂの右斜め直線６及び左斜め直線７に沿わせて斜め市松模様風等を必要に応じカットして多くの模様穴部１２を開ける。なお、丸穴５の半径や丸穴５のピッチ、市松模様風等に切り取った模様穴部１２の大きさは対象動物の大きさや症状により異なる。
【００８０】
そして、図９に示すように、裁断板１Ｂには、そのヘム部１１Ａの外側角部をＡ、内側角部をＣ、出来上がりラインａ１の内外端部をイ、ロとし、また、ヘム部１１Ｂの外側角部をＢ、内側角部をＤ、出来上がりラインｂ１の内外端部をハ、ニとした場合に、裁断板１ＢのＡ〜Ｂ間の外縁部に接着テープＰ１を貼り、ヘム部１１ＡのＡ〜Ｃ間の端縁部に接着テープＰ２を貼り、ヘム部１１ＢのＢ〜Ｄ間の端縁部に接着テープＰ３を貼り、裁断板１ＢのＣ〜Ｄ間の内縁部に接着テープＰ４を貼る。
【００８１】
そして、図１０に示すように、裁断板１Ｂを丸めることで、出来上がりラインａ１と出来上がりラインｂ１とを合せ、すなわち、ロとニとを合せ、イとハとを合わせて、両ヘム部１１Ａ、１１Ｂを重ね合せ、両ヘム部１１Ａ、１１Ｂに形成されている丸穴５もしくは模様穴部１２を利用してロックタイ（またはリピートタイ、面ファスナー等）１３で数カ所留めることで、中空な截頭円錐体の拘束用カラー１を作製する。
【００８２】
なお、模様穴部１２の形状は、上記した市松模様風に限らず、三角形状、菱形、楕円形、星形、花びら形等であっても良く、また、上記した右斜め直線６及び左斜め直線７を引くことなく、板材１Ａに直接に模様穴部１２を多数形成するようにしてもよい。
更に、型紙８を使用することなく、裁断板１Ｂに直接模様穴部１２の上にパターンを転写しサイズ展開を多くする等色々と実施できる。また、材料そのものに初めからパターンを切り抜き、その後でそれぞれの模様穴部１２が切り口に掛からないようにデザインして作ることもできる。
【００８３】
なお、裁断板１Ｂの右斜め直線６及び左斜め直線７に沿わせて斜め市松模様風等を必要に応じカットして模様穴部１２を多く開ける作業は、必要に応じ獣医師等でも良いが、手術等の予定のある時は事前に飼い主が、緊急時は、上記したペットの種類や性格、症状によりサイズを決定したまま図８に示す拘束用カラー１を使用し、後日、主に飼い主等がペットを見張れる時首から外し、そのまま鋏やカッター等でカットするかまたは分解してカットする。分解はロックタイ１３を切るか外してその行為を行えばよい。
【００８４】
なお、これを行うように説明書に書き込み理解を得る。一間面倒に思われるが説明書付きの品物を病院等から渡されれば受け取った側の理解も早いと考える。獣医師の時間短縮に繋がり、二次感染を防ぐためのコラボレートが成り立つ。
説明書にはＰＬ法に基づき事故のないよう万全の配慮を試みるものとする。
【００８５】
次に、ウォークバージョン（ソフトガード）Ｙの拘束用カラー１−１の作製方法を、図１１乃至図１４を参照して説明する。
【００８６】
ウォークバージョン（ソフトガード）Ｙの型紙８−１は図１１で示すものであり、この型紙８−１には、略扇型形状の主部１４の両端部にヘム部１４Ａ、１４Ｂが形成される。
なお、図１１中ｅ、ｆは出来上がりラインであり、点線で描かれる曲線は犬の体型別のガイドラインである。
【００８７】
次に、図１２に示すように、型紙８−１を多数の丸穴５を有する板材１Ａの下に置きペットの首廻りを計りサイズに合わせ鉛筆等で板材１Ａに型紙８−１に沿った裁断線を引き、この裁断線に合わせて裁断する。裁断された板材、すなわち裁断板１Ｂ−１には、図１３に示すように、略扇型形状の主部１５と、この主部１５の両端部のヘム部１５Ａ、１５Ｂと出来上がりラインｅ１、ｆ１が形成される。
【００８８】
そして、図１３に示すように、裁断板１Ｂ−１には、そのヘム部１５Ａの外側角部をＡ、内側角部をＣ、出来上がりラインｅ１の内、外端部をイ、ロとし、また、ヘム部１５Ｂの外側角部をＢ、内側角部をＤ、出来上がりラインｆ１の内、外端部をハ、ニとした場合に、裁断板１Ｂ−１のＡ〜Ｂ間の外縁部に接着テープＰ１を貼り、ヘム部１５ＡのＡ〜Ｃ間の端縁部に接着テープＰ２を貼り、ヘム部１５ＢのＢ〜Ｄ間の端縁部に接着テープＰ３を貼り、裁断板１Ｂ−１のＣ〜Ｄ間の内縁部に接着テープＰ４を貼る。
【００８９】
そして、図１４に示すように、裁断板１Ｂ−１を丸めることで、出来上がりラインｅ１と出来上がりラインｆ１とを合せ、すなわち、ロとニとを合せ、イとハとを合わせて、両ヘム部１５Ａ、１５Ｂを重ね合せ、両ヘム部１５Ａ、１５Ｂに形成されている丸穴５を利用してロックタイ（またはリピートタイ、面ファスナー等）１３で数カ所留めることで、中空な截頭円錐体の拘束用カラー１−１を作製する。
【００９０】
また、拘束用カラー１−１を使用する対象動物（犬、猫）が比較的大きい場合（中型以上）は前足及び後足が大きく爪も太いので、裁断板１Ｂ−１には多数の模様穴部１２が形成される。
【００９１】
次に、ペットが太った時や、痩せた時に対応する拘束用カラー１−２の作製方法を、図１５乃至図１９を参照して説明する。
【００９２】
図８に示すナチュラルバージョン（ハードガード）Ｘの拘束用カラー１から使用時のサイズアップの基本作製について説明する。
【００９３】
先ず、拘束用カラー１の留め部材であるロックタイ（またはリピートタイ、面ファスナー等）１３を外し、図１５に示すように、拘束用カラー１を略扇型形状の裁断板１Ｂに戻す。次に、サイズアップさせたい寸法分量のサイズアップ用型紙１６を、コンビバージョン（ハードガード）Ｚの略長方形状の蓋体用型紙４１に見立て説明書に従い作製する。
【００９４】
すなわち、サイズアップ用型紙１６には、図１６に示すように略長方形状の主部１７の両端部にヘム部１７Ａ、１７Ｂが形成される。なお、図１６中１７ａ、１７ｂは出来上がりラインであり、点線で描かれる曲線は犬の体型別のガイドラインである。
【００９５】
次に、図１７に示すように、サイズアップ用型紙１６を板材１Ａの下に置きペットの首廻りを計りサイズに合わせ鉛筆等で板材１Ａにサイズアップ用型紙１６に沿った裁断線を引き、この裁断線に合わせて裁断する。裁断された板材、すなわち、サイズアップ用裁断板２０には、図１８に示すように、その略長方形状の主部２０Ｃの両端部にヘム部２０Ａ、２０Ｂと出来上がりラインｃ１、ｄ１が形成される。
【００９６】
そして、このサイズアップ用裁断板２０は、そのヘム部２０Ａの外側角部をＥ、内側角部をＧ、出来上がりラインｃ１の内、外端部をヘ、ホとし、また、ヘム部２０Ｂの外側角部をＦ、内側角部をＨ、出来上がりラインｄ１の内、外端部をチ、トとした場合に、サイズアップ用裁断板２０のＥ〜Ｆ間の外縁部にテープＰ５を貼り、サイズアップ用裁断板２０のＥ〜Ｇ間の端縁部にテープＰ６を貼り、サイズアップ用裁断板２０のＦ〜Ｈ間の端縁部にテープＰ７を貼る。
【００９７】
そして、裁断板１Ｂの出来上がりラインａ１とサイズアップ用裁断板２０の出来上がりラインｄ１とを合わせ、すなわち、イとチ、ロとトとを合わせて、両ヘム部１１Ａ、２０Ｂを重ね合わせ、図１９に示すように、両ヘム部１１Ａ、２０Ｂに形成されている穴５を利用してロックタイ（またはリピートタイ、面ファスナー等）２３で留めることで、裁断板１Ｂの一方の端部にサイズアップ用裁断板２０の一方の端部を接続する。
【００９８】
次に、裁断板１Ｂ及びサイズアップ用裁断板２０を丸めることで、出来上がりラインｂ１と出来上がりラインｃ１とを合わせ、すなわち、ニとホを合わせ、ハとへとを合わせて、両ヘム部１１Ｂ、２０Ａを重ね合わせ、両ヘム部１１Ｂ、２０Ａに形成されている丸穴５を利用してロックタイ（またはリピートタイ、面ファスナー等）２３で留めて、環になったヘム部１１Ａとヘム部２０Ｂ、ヘム部１１Ｂとヘム部２０Ａを重ねた上からＣ〜ＤとＧ〜Ｈと輪を描く要領で接着テープＰ４を剥がす等して、接着テープＰ８を貼り、サイズアップさせた拘束用カラー１−２を作製する。ロックタイ等２３の位置を変えることでも、ペットが太った時成長した時に対応できる。
【００９９】
よって、サイズアップした拘束用カラー１−２の全てに穴５及び模様穴部１２が開いたことになり、首輪Ｔ等と接続できる。
なお、ウォークバージョン（ソフトガード）Ｙの拘束用カラー１−１のサイズアップは、上記したナチュラルバージョン（ハードガード）Ｘの拘束用カラー１のサイズアップと同様に行なわれる。
【０１００】
次に、図８に示すナチュラルバージョン（ハードガード）Ｘの拘束用カラー１と、ウォークバージョン（ソフトガード）Ｙの拘束用カラー１−１とを、それぞれサイズダウンする仕方について説明する。
【０１０１】
この場合、それぞれの丸穴５及び模様穴部１２を利用して、ロックタイ（またはリピートタイ、面ファスナー等）１３、２３で留め直せばよく、どの拘束用カラー１、１−１、１−２、１−３も同様に、再使用またはリフォーム（サイズ直し）ができ、無駄がなく地球環境に優しいものになる。すなわち、パターン化させリフォーム（サイズ直し）を可能にさせることにより塵が少なくなり、使い捨てにしない注意を（説明書に写真や図解を交え）呼びかけ、飼い主が主になり拘束用カラー１、１−１、１−２、１−３を作製し無駄をなくすことができる。
【０１０２】
次に、コンビバージョン（ハードガード）Ｚの拘束用カラー１−３と、この拘束用カラー１−３の作製方法を図２０乃至図２９を参照して説明する。
【０１０３】
コンビバージョン（ハードガード）Ｚの拘束用カラー１−３は、図２６に示すように、略扇型形状の裁断板１Ｂ−２と、略長方形状の蓋体用裁断板４０とで構成してある。
【０１０４】
コンビバージョン（ハードガード）Ｚの略扇型形状の型紙８−２は、図２０で示すものであり、この型紙８−２には、略扇型形状の主部３０の両端部にヘム部３０Ａ、３０Ｂが形成される。なお、図２０中ｇ、ｈは出来上がりラインであり、点線で描かれる曲線は犬の体型別のガイドラインである。
【０１０５】
そして、図２１に示すように、型紙８−２を多数の丸穴５を有する板材１Ａの下に置きペットの首廻りを計りサイズに合わせ鉛筆等で板材１Ａに型紙８−２に沿った裁断線を引き、この裁断線に合わせて裁断する。
裁断された板材、すなわち裁断板１Ｂ−２には、図２２に示すように、略扇型形状の主部３１の両端部のヘム部３１Ａ、３１Ｂと出来上がりラインｇ１、ｈ１が形成される。
【０１０６】
そして、裁断板１Ｂ−２には、そのヘム部３１Ａの外側角部をＡ、内側角部をＣ、出来上がりラインｇ１の内、外端部をイ、ロとし、また、ヘム部３１Ｂの外側角部をＢ、内側角部をＤ、出来上がりラインｈ１の内、外端部をハ、ニとした場合に、裁断板１Ｂ−２のＡ〜Ｂ間の外縁部に接着テープＰ１０を貼り、裁断板１Ｂ−２のヘム部３１ＡのＡ〜Ｃ間の端縁部に接着テープＰ１１を貼り、ヘム部３１ＢのＢ〜Ｄ間の端縁部に接着テープＰ１２を貼る。
【０１０７】
また、コンビバージョン（ハードガード）Ｚの略長方形状の蓋体用型紙４１は、図２３で示すものであり、この蓋体用型紙４１には、略長方形状の主部４１Ｃの両端部にヘム部４１Ａ、４１Ｂが形成される。なお、図２３中ｉ、ｊは出来上がりラインであり、点線で描かれる曲線は犬の体型別のガイドラインである。
【０１０８】
次に、図２４に示すように、蓋体用型紙４１を板材１Ａの下に置きペットの首廻りを計りサイズに合わせ鉛筆等で板材１Ａに蓋体用型紙４１に沿った裁断線を引き、この裁断線に合わせて裁断する。裁断された板材、すなわち、蓋体用裁断板４０には、図２５に示すように、その略長方形状の主部４０Ｃの両端部にヘム部４０Ａ、４０Ｂと出来上がりラインｉ１、ｊ１が形成される。
【０１０９】
そして、この蓋体用裁断板４０は、そのヘム部４０Ａの外側角部をＥ、内側角部をＧ、出来上がりラインｉ１の内、外端部をヘ、ホとし、また、ヘム部４０Ｂの外側角部をＦ、内側角部をＨ、出来上がりラインｊ１の内、外端部をチ、トとした場合に、蓋体用裁断板４０のＥ〜Ｆ間の外縁部にテープＰ１４を貼り、蓋体用裁断板４０のＥ〜Ｇ間の端縁部にテープＰ１５を貼り、蓋体用裁断板４０のＦ〜Ｈ間の端縁部にテープＰ１６を貼る。
【０１１０】
そして、裁断板１Ｂ−２の出来上がりラインｇ１と蓋体用裁断板４０の出来上がりラインｊ１とを合わせ、すなわち、イとチ、ロとトとを合わせて、両ヘム部３１Ａ、４０Ｂを重ね合わせ、図２６に示すように、両ヘム部３１Ａ、４０Ｂに形成されている丸穴５を利用してロックタイ（またはリピートタイ、面ファスナー等）３３で留めることで、裁断板１Ｂ−２の一方の端部に蓋体用裁断板４０の一方の端部を接続する。
【０１１１】
次に、裁断板１Ｂ−２及び蓋体用裁断板４０を丸めることで、出来上がりラインｈ１と出来上がりラインｉ１とを合わせ、すなわち、ニとホを合わせ、ハとへとを合わせて、両ヘム部３１Ｂ、４０Ａを重ね合わせ、両ヘム部３１Ｂ、４０Ａに形成されている丸穴５を利用してロックタイ（またはリピートタイ、面ファスナー等）３３で留め、環になったヘム部３１Ｂと４０Ａ、ヘム部３１Ａと４０Ｂを重ねた上からＣ〜ＤとＧ〜Ｈと輪を描く要領で接着テープＰ１７を貼ることで、中空な截頭円錐体の拘束用カラー１−３を作製する。
【０１１２】
また、図２７に示す拘束用カラー１−３は、略扇型形状の裁断板１Ｂ−２及び略長方形状の蓋体用裁断板４０を、丸穴５及び模様穴部１２を形成した板材から裁断して上記したように組付けることで作製されたものである。
【０１１３】
よって拘束用カラー１−３にも同様に丸穴５及び模様穴部１２があるために、拘束用カラー１−３の全てに丸穴５が開いたことになる。
【０１１４】
上記のように構成された拘束用カラー１−３は犬Ｓ及び猫Ｋに装着される。そして、犬Ｓ及び猫Ｋの口部（口蓋にあたる部分）Ｓ２、Ｋ２を解放する場合には、図２８及び図２９に示すように、拘束用カラー１−３の首穴部２側のロックタイ（またはリピートタイ、面ファスナー等）３３を残した状態で、他のロックタイ（またはリピートタイ、面ファスナー等）３３を外し、蓋体用裁断板４０を外側に巻き込むことで行なわれる。
【０１１５】
以上、説明したように、本発明に係る拘束用カラーの実施の形態によれば、カラー部３に設けた多数の透孔（丸穴５及び模様穴部１２もしくは丸穴５と模様穴部１２）から外周りが見渡せる為に、視界が広がりペットの恐怖感が回避でき、見慣れた景色や好きな人の顔が見られるようになり、ストレスの解消ができるようになるばかりか、風通しが良くなり通気性に富み二次感染を防ぐことができるようになる。
【０１１６】
また、カラー部３に多数の透孔（丸穴５及び模様穴部１２もしくは丸穴５と模様穴部１２）を設けることにより軽量化が可能になり、首、脊髄等の負担の軽減になり、また、ウォークバージョン（ハ−ドガード）Ｙや、コンビバージョン（ハードガード）Ｚ等のバリエーションに富んだ拘束用カラー１−１、１−３が提案でき、散歩や飲食等が容易になるように利便性、機能性を向上させることができ、更に、透孔（丸穴５及び模様穴部１２もしくは丸穴５と模様穴部１２）を留め部材の留め穴として利用して、安全な拘束用カラー１、１−１、１−３と首輪Ｔとを留め部材としてロックタイ（またはリピートタイ、面ファスナー等）１３、２３、３３で連結することが出来るようになる。
【０１１７】
また、本発明に係る拘束用カラーの実施の形態によれば、右斜め直線６及び左斜め直線７はゴールド色、シルバー色、ホワイト色等のいずれかの色が付けられている為に、対象動物の眼球への負担を少しでも無くすことが可能になる。また、ラブラドールレトリーバー（茶）や柴犬、ポメラニアン等にはゴールド色、ラブラドールレトリーバー（黒）やハスキー（グレー系）ウルフハウンド等にはシルバー色、マルチーズ、スピッツ等にはホワイト色をとファッション性を持たせ観る者を楽しませ癒しの効果を持たせることが可能になる。
【０１１８】
また、本発明に係る拘束用カラーの実施の形態によれば、模様穴部１２の形状を、市松模様風、三角形、菱形、楕円形、星形、花びら形等にして、拘束用カラー１、１−１、１−２、１−３にデザイン性を持たせれば、そのデザイン性が向上し、見るものを癒すことができる。
【０１１９】
また、本発明に係る拘束用カラーの実施の形態によれば、パターン化したことにより一定の材料に図を転写し其れをサイズに合わせカットすればよくなり、合理的に作製することができ、人々の時間の削減が可能になり、衛生的に洗える材料を選ぶことで再使用ができ、リフォームも可能になり、経済的で、飼い主が主になり作製できる、ペットのニーズにぴったりとあった環境破壊を考慮した、夢の拘束用カラーが実現できる。
【０１２０】
また、本発明に係る拘束用カラーの実施の形態によれば、犬Ｓ及び猫Ｋの口部（口蓋にあたる部分）Ｓ２、Ｋ２を開くようなバリエーションに富んだコンビバージョン等の拘束用カラー１−３が提案できて、食事等が容易になるように利便性、機能性を向上させることができる。
【０１２１】
なお、上記した本発明に係る拘束用カラーの実施の形態のそれぞれでは、対象動物として犬Ｓ、猫Ｋのペットについて述べたが、本発明は、兎、豚、動物園動物、野生動物等にも適用できるものである。
【産業上の利用可能性】
【０１２２】
本発明による拘束用カラーによれば、デザイン性を持つカラー部に設けた多数の透孔（丸穴及び模様穴部もしくは丸穴と模様穴部）から、通気性に富んだ軽く機能性に優れる、安全でペットの負担を和らげた、人々の心を癒すファッション性の豊かな理想的な拘束用カラーとして、動物病院、動物園、獣医大学病院、薬品会社、飼料会社、動物を必要とするあらゆる研究機関等から、必要とされ愛される用品として、広くは、世界中のペットの役に立ち、生産することにより産業上の可能性は大きく発展し、日本の経済の一部に貢献できることとなるであろう。
【図面の簡単な説明】
【０１２３】
【図１】本発明に係る拘束用カラーを犬に装着した状態の説明図である。
【図２】本発明に係る他の拘束用カラーを犬に装着した状態の説明図である。
【図３】本発明に係る拘束用カラーに使用する板材の平面図である。
【図４】表面に右斜め直線及び左斜め直線を引いた状態の板材の平面図である。
【図５】ナチュラルバージョン（ハードガード）Ｘの拘束用カラーの型紙の平面図である。
【図６】同型紙に板材を重ねた状態の平面図である。
【図７】ナチュラルバージョン（ハードガード）Ｘの拘束用カラーの裁断板の平面図である。
【図８】ナチュラルバージョン（ハードガード）Ｘの拘束用カラーの斜視図である。
【図９】ナチュラルバージョン（ハードガード）Ｘの拘束用カラーの他の裁断板の平面図である。
【図１０】ナチュラルバージョン（ハードガード）Ｘの拘束用カラーの斜視図である。
【図１１】ウォークバージョン（ソフトガード）Ｙの拘束用カラーの型紙の平面図である。
【図１２】同型紙に板材を重ねた状態の平面図である。
【図１３】ウォークバージョン（ソフトガード）Ｙの拘束用カラーの裁断板の平面図である。
【図１４】ウォークバージョン（ソフトガード）Ｙの拘束用カラーの斜視図である。
【図１５】ナチュラルバージョン（ハードガード）Ｘの拘束用カラーを略扇型形状の裁断板に戻した状態の説明図である。
【図１６】サイズアップ用型紙の平面図である。
【図１７】同サイズアップ用型紙に板材を重ねた状態の平面図である。
【図１８】サイズアップ用裁断板の平面図である。
【図１９】ナチュラルバージョン（ハードガード）Ｘのサイズアップした拘束用カラーの斜視図である。
【図２０】コンビバージョン（ハードガード）Ｚの拘束用カラーの略扇型形状の型紙の平面図である。
【図２１】同型紙に板材を重ねた状態の平面図である。
【図２２】コンビバージョン（ハードガード）Ｚの拘束用カラーの裁断板の平面図である。
【図２３】コンビバージョン（ハードガード）Ｚの拘束用カラーの蓋体用型紙の平面図である。
【図２４】同型紙に板材を重ねた状態の平面図である。
【図２５】コンビバージョン（ハードガード）Ｚの拘束用カラーの蓋体用裁断板の平面図である。
【図２６】コンビバージョン（ハードガード）Ｚの拘束用カラーの斜視図である。
【図２７】コンビバージョン（ハードガード）Ｚの他の拘束用カラーの斜視図である
【図２８】同コンビバージョン（ハードガード）Ｚの拘束用カラーにおいて犬Ｓの口部（口蓋にあたる部分）を開いた状態の斜視図である。
【図２９】同コンビバージョン（ハードガード）Ｚの拘束用カラーにおいて猫Ｋの口部（口蓋にあたる部分）を開いた状態の斜視図である。
【図３０】従来の拘束用カラーの斜視図である。
【図３１】従来の他の拘束用カラーの斜視図である。
【図３２】従来の他の拘束用カラーの斜視図である。
【符号の説明】
【０１２４】
１        拘束用カラー
１−１    拘束用カラー
１−２    拘束用カラー
１−３    拘束用カラー
１Ａ      板材
１Ｂ      裁断板
１Ｂ−１  裁断板
１Ｂ−２  裁断板
２        首穴部
３        カラー部
５        丸穴（透孔）
６        右斜め直線
７        左斜め直線
８        型紙
８−１    型紙
８−２    型紙
９        主部
９Ａ      ヘム部
９Ｂ      ヘム部
１０      主部
１１Ａ    ヘム部
１１Ｂ    ヘム部
１２      模様穴部（透孔）
１３      ロックタイ（留め部材）
１４      主部
１４Ａ    ヘム部
１４Ｂ    ヘム部
１５      主部
１５Ａ    ヘム部
１５Ｂ    ヘム部
１６      サイズアップ用型紙
１７      主部
１７Ａ    ヘム部
１７Ｂ    ヘム部
２０      サイズアップ用裁断板
２０Ａ    ヘム部
２０Ｂ    ヘム部
２０Ｃ    主部
２３      ロックタイ（留め部材）
３０      主部
３０Ａ    ヘム部
３０Ｂ    ヘム部
３１      主部
３１Ａ    ヘム部
３１Ｂ    ヘム部
３３      ロックタイ（留め部材）
４０      蓋体用裁断板（蓋体）
４０Ａ    ヘム部
４０Ｂ    ヘム部
４１      蓋体用型紙
４１Ａ    ヘム部
４１Ｂ    ヘム部
４１Ｃ      主部
Ｓ        犬
Ｓ１      顔部分
Ｓ２      口部
Ｋ        猫（顔部分）
Ｋ２      口部
Ｐ１〜Ｐ８  接着テープ
Ｐ１０〜Ｐ１２  接着テープ
Ｐ１４〜Ｐ１７  接着テープ
Ｘ        ナチュラルバージョン（ハードガード）
Ｙ        ウォークバージョン（ソフトガード）
Ｚ        コンビバージョン（ハードガード）
【手続補正３】
【補正対象書類名】図面
【補正対象項目名】図２６
【補正方法】変更
【補正の内容】
【図２６】
2007007250.tif 000035
【手続補正４】
【補正対象書類名】図面
【補正対象項目名】図２７
【補正方法】変更
【補正の内容】
【図２７】
2007007250.tif 000036
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
全体が中空截頭円錐体で構成されており、その小径側端部に形成され、動物の首の周りに嵌める首孔部と、前記小径側端部から大径側端部に向かって延びて形成され、前記動物の口部を囲むカラー部とを有する拘束用カラーにおいて、
前記カラー部には、縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている、
ことを特徴とする拘束用カラー。
【請求項２】
前記カラー部は、略扇型形状の主部と、その主部の両端部に形成されたヘム部とを備えた裁断板からなり、前記裁断板を丸めて、前記ヘム部同士を重ね合わせ、重ね合わされた両ヘム部の透孔に留め部材を通して接合して構成されている、ことを特徴とする請求項１に記載の拘束用カラー。
【請求項３】
前記カラー部は、略扇型形状の主部と、その主部の両端部に形成されたヘム部とを備えた裁断板と、透孔が形成され、両端にヘム部が形成された略方形状のサイズアップ板とからなり、前記裁断板を丸めて、前記サイズアップ板のヘム部と前記裁断板のヘム部とを重ね合わせ、前記サイズアップ板の透孔と前記裁断板の透孔とに留め部材を通して接合して構成されている、ことを特徴とする請求項１に記載の拘束用カラー。
【請求項４】
前記サイズアップ板には、縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている、ことを特徴とする請求項３に記載の拘束用カラー。
【請求項５】
前記カラー部は、略扇型形状の主部と、その主部の両端部に形成されたヘム部とを備えた裁断板と、透孔が形成された略方形状の蓋体板とからなり、前記裁断板を丸めて、前記蓋体板の両端部と前記裁断板のヘム部とを重ね合わせ、前記蓋体板の透孔と前記裁断板の透孔とに留め部材を通して接合して構成され、
前記留め部材を適宜着脱することにより、前記裁断板のヘム部の間に形成された開口部を前記蓋体板により開閉可能であることを特徴とする請求項１に記載の拘束用カラー。
【請求項６】
前記蓋体板には、縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている、ことを特徴とする請求項５に記載の拘束用カラー。
【請求項７】
前記右斜め直線及び左斜め直線に沿って適宜切り欠いた模様孔部が形成されていることを特徴とする請求項１乃至６のいずれか１つの項に記載の拘束用カラー。
【請求項８】
前記右斜め直線及び左斜め直線は着色されていることを特徴とする請求項１乃至７のいずれか１つの項に拘束用カラー。
【請求項９】
前記カラー部と前記動物の首輪とが、前記カラー部の透孔と前記動物の首輪に留め部材を通して接続されていることを特徴とする請求項１乃至８のいずれか１つの項に記載の拘束用カラー。
【請求項１０】
全体が中空截頭円錐体で構成されており、その小径側端部に形成され、動物の首の周りに嵌める首孔部と、前記小径側端部から大径側端部に向かって延びて形成され、前記動物の口部を囲むカラー部とを有する拘束用カラーの作製方法において、
（１）縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている板材を用意する工程と、
（２）前記板材を裁断して、略扇型形状の主部と、その主部の両端部に形成されたヘム部からなる裁断板を作製する工程と、
（３）前記裁断板を丸め、前記ヘム部同士を重ね合わせる工程と、
（４）重ね合わされた前記両ヘム部の透孔に留め部材を通して接合することにより前記カラー部を作製する工程と、
を有することを特徴とする拘束用カラーの作製方法。
【請求項１１】
全体が中空截頭円錐体で構成されており、その小径側端部に形成され、動物の首の周りに嵌める首孔部と、前記小径側端部から大径側端部に向かって延びて形成され、前記動物の口部を囲むカラー部とを有する拘束用カラーの作製方法において、
（１）縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている板材を用意する工程と、
（２）前記板材を裁断して、略扇型形状の主部と、その主部の両端部に形成されたヘム部からなる裁断板を作製する工程と、
（３）前記板材を裁断して、両端にヘム部が形成された略方形状のサイズアップ板を作製する工程と、
（４）前記裁断板を丸めて、前記サイズアップ板のヘム部と前記裁断板のヘム部とを重ね合わせる工程と、
（５）前記サイズアップ板の透孔と前記裁断板の透孔とに留め部材を通して接合することにより前記カラー部を作製する工程と、
を有することを特徴とする拘束用カラーの作製方法。
【請求項１２】
全体が中空截頭円錐体で構成されており、その小径側端部に形成され、動物の首の周りに嵌める首孔部と、前記小径側端部から大径側端部に向かって延びて形成され、前記動物の口部を囲むカラー部とを有する拘束用カラーの作製方法において、
（１）縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている板材を用意する工程と、
（２）前記板材を裁断して、略扇型形状の主部と、その主部の両端部に形成されたヘム部からなる裁断板を作製する工程と、
（３）前記板材を裁断して、略方形状の蓋体板を作製する工程と、
（４）前記裁断板を丸めて、前記蓋体板の両端部と前記裁断板のヘム部とを重ね合わせる工程と、
（５）前記蓋体板の透孔と前記裁断板の透孔とに留め部材を通して接合することにより前記カラー部を作製する工程と、
を有することを特徴とする拘束用カラーの作製方法。
【請求項１３】
前記留め部材を適宜着脱して、前記裁断板のヘム部の間に形成された開口部を前記蓋体板により開閉することを特徴とする請求項１２に記載の拘束用カラーの作製方法。
【請求項１４】
前記右斜め直線及び左斜め直線に沿って適宜切り欠いて模様孔部を形成する工程を有することを特徴とする請求項１０乃至１３のいずれか１つの項に記載の拘束用カラーの作製方法。
【手続補正２】
【補正対象書類名】明細書
【補正対象項目名】全文
【補正方法】変更
【補正の内容】
【発明の詳細な説明】
【技術分野】
【０００１】
本発明は、例えば猫，犬のようなペット等の動物の首の周りに装着され、動物の口部や頭部が、それ以外の部分に近づくのを防止するために用いられる拘束用カラー及びその作製方法に関する。
【背景技術】
【０００２】
一般に、拘束用カラーは、動物の体に傷があるときに、この傷を舐めたり、噛んだり、引っ掻いたり、触れたりするのを防止する場合や動物に外科的処置を行う場合等に用いられている。
【０００３】
従来の代表的な拘束用カラーは、全体が中空截頭円錐体で構成されており、比較的堅い合成樹脂材料又は他の比較的剛性な材料で作られている。この拘束用カラーは、小径側端部に形成され、動物の首の周りに嵌める首孔部と、動物の頭側に延びて形成され、動物の口部を実質的に囲むカラー部とを有する。なお、拘束用カラーは、その外観のためにエリザベスカラーと呼ばれている。
【０００４】
図３０に示す従来の拘束用カラー１−４は、既存の比較的堅い合成樹脂板、ゴム、ダンボール等を、動物のサイズに合わせて、略扇型（メガホンを切り開いた形）にカットし、このカットした板材４３を筒状に繋ぎ合せて首孔部４８及びカラー部４２を形成し、板材４３の重なり合う両端部に三対の孔４４を開けて、一対の孔４４ごとにロックタイ（またはドットボタン等）４５で留めることで作製される。また、拘束用カラー１−４は着色されている。
【０００５】
図３１に示す従来の拘束用カラー１−４は、中空截頭円錐体で構成され、首孔部４８及びカラー部４２を備えており、比較的薄い合成樹脂や撥水加工させた紙にアコーデオンプリーツ４６を施して形成されている。
図３２に示す拘束用カラー１−４は、猫用、小型犬用の薄いラミネート（透明な板状）にロゴマークや模様４７が色付けしてある。
【０００６】
拘束用カラーに関連する従来技術としては、例えば実開平６−５２８０９号公報（特許文献１）に、動物の体にたすき状に掛けることのできる長さの紐と、この紐の中央及び両端に取り付けた適宜形状の係止具よりなるエリザベスカラー固定用紐が開示されている。
このエリザベスカラー固定用紐をエリザベスカラーに装着する場合、まず、紐の中央に取り付けた係止具を、動物の首に装着したエリザベスカラーの喉に当たる部分にしっかり固定する。
次いで、紐を左右の両肩に回して背中で交叉させ、たすき掛けにした紐の両端に取り付けた係止具をそれぞれエリザベスカラーの両側部に固定する。３個の係止具は、エリザベスカラーの内周縁をほぼ３等分する位置に固定するのが好ましい。
その後、紐を強く引っ張ってゆるみをなくし、エリザベスカラーの縁が皮膚に食い込むほど肩部に押しつけて固定する。
【特許文献１】実開平６−５２８０９号公報
【発明の開示】
【発明が解決しようとする課題】
【０００７】
従来の拘束用カラー１−４には、次のような課題がある。
【０００８】
第１の課題は、視界が狭くなることによる恐怖感の回避がなされていないことである。
すなわち、最初に拘束用カラーを装着する動物の多くは、最初に首輪を装着された時と同様に違和感を覚え、動物によっては数十分から疲れ果てるまで、あるいは慣れるまで暴れる現象がみられる。これは、拘束用カラーを装着した動物の視界が狭くなり、周りを見渡すことができないため、恐怖感に襲われるためである。このため、兎のような小動物に至ってはショック死してしまうこともあり、視界が遮られることへの不安は図りしれないものがある。
従って、動物の本能として備えている敵の感知ができないという恐怖感を動物から拭い去る必要がある。
【０００９】
第２の課題は、通気性が悪いため、二次的感染のおそれがあることである。
すなわち、動物の縫合部や傷口、病気が完治するまでには数日間から数ヶ月要するが、その間、通気性の悪い従来の拘束用カラーを装着すると、二次的感染のおそれがある。例えば、耳の垂れている盲導犬のラブラドールレトリーバーやビーグルが従来の拘束用カラーを二週間装着した結果、耳が蒸れ耳ダニが増殖したり、耳道からの感染により結膜炎を併発する等、通気性が悪いことを原因として起こる感染症の実証例は数多い。
【００１０】
第３の課題は、先天性の脊髄損傷や老化による頚椎への負担が大きく、軽量化の対策がなされていないことである。
すなわち、動物の病気の中には、先天性の脊髄損傷や老化によるために、頚椎等への負担を軽減しなければならない病気等もあり、特に異なる病気との併発時には、拘束用カラーの軽量化は必要不可欠である。軽量化することにより動作が楽になり、歩行も有意義に行われる。外で排泄行為を済ませるペットにとっては散歩時の負担が軽減される。特に、小型、中型の余り背の高くない動物にとっては、拘束用カラーが大きく重たいために引きずってしまい、鼻先を地面に近づけ難いために臭いを嘆ぎ分ける仕種が困難になり、マーキング等に支障をきたし排泄行為の妨げになる。
【００１１】
第４の課題は、従来の拘束用カラーでは、動物の首から抜けてしまう場合があり、この安全対策がなされていないことである。
通常は、動物の首のサイズに合わせ拘束用カラーを作製するので、頭蓋骨が邪魔をして抜けることはないが、動物が暴れて拘束用カラーを抜こうする場合もある。従って、飼い主等が見張れない時や就寝中等のことを考えて安全対策の必要性が求められる。
【００１２】
第５の課題は、ペットと飼い主、双方の利便性、機能性が考慮されていないことである。
すなわち、ペットの楽しみの中に餌の時間があるが、飼い主にとって、その都度拘束用カラーを着脱することは時間が掛かり面倒であり、患部の位置によっては傷口の悪化を招くため望ましいことではない。
また、拘束用カラーを付けた状態でペットが飲食することは非常に困難であり、飼い主が餌入れを持ち、拘束用カラーの下から与える必要がある。ペットとしても、水を早く飲みたい一心で慌てて水入れを押しやり零したり、口蓋の両脇から涎とともに垂れ落ちる水の逃げ場がないために、顎の下の首周りが濡れてしまい、湿気によるマラセチア菌の増殖にも繋がるおそれがある。
このように、従来の拘束用カラーには、ペットと飼い主双方の利便性を考慮した機能性が考慮されていない。
【００１３】
第６の課題は、ペットに精神的負担やストレスが発生しやすいことである。
すなわち、従来の拘束用カラーは、ペットにとって不快極まりない邪魔なものであり、なかなか外すことのできない精神的負担や苛立ちによるストレスが発生しやすく、これらを解消する必要がある。
【００１４】
第７の課題は、拘束用カラーの作製に時間がかかり、熟練を要することである。
すなわち、本来、動物の治療や研究、世話等に全精力を傾けなければならない獣医師や飼育係が、その都度、動物のサイズを測定し、形を描いて拘束用カラーを作製することは時間がかかり、熟練を要するので、効率的ではなかった。
一度でも人工的な痛みを経験したペットは、トラウマにより、病院等の扉を潜った瞬間から、不自然な換毛が始まり、全身から上毛が抜け落ちる等の心身のバランスを崩す実証例等から、拘束用カラーの作製を容易にすることにより、多少ならずとも病院等での待ち時間の短縮に繋がると考えられ、改善策が必要とされる。
【００１５】
第８の課題は、デザイン性に欠けていることである。
すなわち、現在のようなペット産業の時代に、デザイン性を持つ拘束用カラーは見受けられず、また、獣医師及び飼育係の努力の賜物である拘束用カラーも重苦しく、不自由である。何処からでもペットの顔が見られないことは見守る者をも不安にさせ、ペットの状態の判断ができず不都合である。
表情を把握できるようにデザイン性を持たせ、見守る者を癒す効果のあるファッション性に優れた拘束用カラーが必要とされ、デザイン性を持つことが病状の悪化を防ぐことにも繋がる。
【００１６】
第９の課題は、不要になると使い捨てされることが多く、無駄で経済性に欠けていることである。
第１０の課題は、使い捨てされた拘束用カラーがゴミとして環境を破壊し、環境破壊対策が成されていないことである。
第１１の課題は、何度でも再使用でき、洗浄や消毒が繰り返しできる衛生的で耐久性に富んだ拘束用カラーがないことである。
【００１７】
従来の拘束用カラーは、大半が動物病院で治療を行う動物に対して必要に迫られて利用されている。動物が完治した後に、再度、拘束用カラーを利用せざるを得ない時を迎えることがある。
【００１８】
このように、治療が必要となる毎に、拘束用カラーを作製していたのでは、時間と費用の無駄使いになるばかりか、塵をも増やし続けることに繋がり地球の未来にとって望ましいことではない。一日も早い理想的な拘束用カラーの開発が望まれており、ペットの性格を一番よく把握する立場にいる飼い主が主体となり、獣医師等とのコラボレーションの下で作製できる拘束用カラーの出現が望まれている。
【００１９】
また、拘束用カラーを必要としなければならない四足動物の成長過程に於ける骨格の変化は小型体系と大型体系とでは著しく異なるが、中型体系以上のペットには生涯に幾つかの拘束用カラーが必要とされる。そのため、幼少期用、成長期用との区別分けは止むを得ないが、その成長過程における少々のサイズアップやサイズダウンが誰にでも簡単にリフォームできることが望まれ、使い捨てることなく、何度でも直すことができ、再使用できる拘束用カラーの出現が待たれている。
【００２０】
いくらペットの拘束用カラーと言ってもこれだけのペット産業時代、『我々の一部の経済は彼らの温床の上に成り立っている』と言っても過言ではなく、もう少しペット及び装着させる側の機能性を考慮した用品の開発が待たれている。人と生活していく上で用品としてのデザイン性は欠くことのできない問題であり、拘束用カラーを装着しなければならない辛い時こそ、装着させる人々とペット双方の重苦しい気分の軽減が必要とされる。
【００２１】
観ているだけでそのような気分を解消できる、デザイン性やファッション性を備え、ペットにとって付け心地の良い拘束用カラーの一日も早い開発が望まれる。
【００２２】
本発明は上記した課題を解決するものであり、その第１の目的とするところは、ペットから恐怖感を拭い去り、装着することで起こる二次的感染を防ぎ、肉体的負担を和らげ、軽く清潔で安全性と機能性の配慮された、見慣れた景色や好きな人がいつでも見える、デザイン性に優れた理想的な拘束用カラーを提供することである。
【００２３】
また、本発明の第２の目的とするところは、パターン化させることにより合理性が増しリフォーム（サイズ直し）が可能になり、塵を少なくし地球環境に優しい拘束用カラーを作製でき、かつ、飼い主が主となりペットのサイズに合う拘束用カラーを獣医師等とコラボレートすることで作製できる拘束用カラーの作製方法を提供することである。
【課題を解決するための手段】
【００２４】
本発明の拘束用カラーは、全体が中空截頭円錐体で構成されており、その小径側端部に形成され、動物の首の周りに嵌める首孔部と、前記小径側端部から大径側端部に向かって延びて形成され、前記動物の口部を囲むカラー部とを有する拘束用カラーにおいて、前記カラー部には、縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている、ことを特徴とするものである。
【００２５】
前記カラー部は、略扇型形状の主部と、その主部の両端部に形成されたヘム部とを備えた裁断板からなり、前記裁断板を丸めて、前記ヘム部同士を重ね合わせ、重ね合わされた両ヘム部の透孔に留め部材を通して接合して構成されていてもよい。
【００２６】
前記カラー部は、略扇型形状の主部と、その主部の両端部に形成されたヘム部とを備えた裁断板と、透孔が形成され、両端にヘム部が形成された略方形状のサイズアップ板とからなり、前記裁断板を丸めて、前記サイズアップ板のヘム部と前記裁断板のヘム部とを重ね合わせ、前記サイズアップ板の透孔と前記裁断板の透孔とに留め部材を通して接合して構成されていてもよい。
【００２７】
前記サイズアップ板には、縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されていてもよい。
前記カラー部は、略扇型形状の主部と、その主部の両端部に形成されたヘム部とを備えた裁断板と、透孔が形成された略方形状の蓋体板とからなり、前記裁断板を丸めて、前記蓋体板の両端部と前記裁断板のヘム部とを重ね合わせ、前記蓋体板の透孔と前記裁断板の透孔とに留め部材を通して接合して構成され、前記留め部材を適宜着脱することにより、前記裁断板のヘム部の間に形成された開口部を前記蓋体板により開閉可能であるように構成してもよい。
【００２８】
前記蓋体板には、縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されていてもよい。
【００２９】
前記右斜め直線及び左斜め直線に沿って適宜切り欠いた模様孔部が形成されていてもよい。
【００３０】
前記右斜め直線及び左斜め直線は着色されていてもよい。
【００３１】
前記カラー部と前記動物の首輪とが、前記カラー部の透孔と前記動物の首輪に留め部材を通して接続されていてもよい。
【００３２】
本発明の第１の拘束用カラーの作製方法は、全体が中空截頭円錐体で構成されており、その小径側端部に形成され、動物の首の周りに嵌める首孔部と、前記小径側端部から大径側端部に向かって延びて形成され、前記動物の口部を囲むカラー部とを有する拘束用カラーの作製方法において、
（１）縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている板材を用意する工程と、
（２）前記板材を裁断して、略扇型形状の主部と、その主部の両端部に形成されたヘム部からなる裁断板を作製する工程と、
（３）前記裁断板を丸め、前記ヘム部同士を重ね合わせる工程と、
（４）重ね合わされた前記両ヘム部の透孔に留め部材を通して接合することにより前記カラー部を作製する工程と、
を有することを特徴とするものである。
【００３３】
本発明の第２の拘束用カラーの作製方法は、全体が中空截頭円錐体で構成されており、その小径側端部に形成され、動物の首の周りに嵌める首孔部と、前記小径側端部から大径側端部に向かって延びて形成され、前記動物の口部を囲むカラー部とを有する拘束用カラーの作製方法において、
（１）縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている板材を用意する工程と、
（２）前記板材を裁断して、略扇型形状の主部と、その主部の両端部に形成されたヘム部からなる裁断板を作製する工程と、
（３）前記板材を裁断して、両端にヘム部が形成された略方形状のサイズアップ板を作製する工程と、
（４）前記裁断板を丸めて、前記サイズアップ板のヘム部と前記裁断板のヘム部とを重ね合わせる工程と、
（５）前記サイズアップ板の透孔と前記裁断板の透孔とに留め部材を通して接合することにより前記カラー部を作製する工程と、
を有することを特徴とするものである。
【００３４】
本発明の第３の拘束用カラーの作製方法は、
全体が中空截頭円錐体で構成されており、その小径側端部に形成され、動物の首の周りに嵌める首孔部と、前記小径側端部から大径側端部に向かって延びて形成され、前記動物の口部を囲むカラー部とを有する拘束用カラーの作製方法において、
（１）縦横に所定ピッチに間隔を隔てて配置された透孔が形成されているとともに、右斜め上の透孔の中心から左斜め下の透孔の中心に向かって結んだ右斜め直線と、左斜め上の透孔の中心から右斜め下の透孔の中心に向かって結んだ左斜め直線とが透孔の１列おきに交差して表示されている板材を用意する工程と、
（２）前記板材を裁断して、略扇型形状の主部と、その主部の両端部に形成されたヘム部からなる裁断板を作製する工程と、
（３）前記板材を裁断して、略方形状の蓋体板を作製する工程と、
（４）前記裁断板を丸めて、前記蓋体板の両端部と前記裁断板のヘム部とを重ね合わせる工程と、
（５）前記蓋体板の透孔と前記裁断板の透孔とに留め部材を通して接合することにより前記カラー部を作製する工程と、
を有することを特徴とするものである。
【００３５】
前記留め部材を適宜着脱して、前記裁断板のヘム部の間に形成された開口部を前記蓋体板により開閉してもよい。
【００３６】
前記右斜め直線及び左斜め直線に沿って適宜切り欠いて模様孔部を形成する工程を有してもよい。
【発明の効果】
【００３７】
本発明によれば、次のような優れた効果を奏する。
【００３８】
（１）カラー部に多数の透孔（模様孔部を含む）が形成されているので、動物の視界が広くなり、動物から恐怖感を回避することができる。
【００３９】
（２）カラー部に多数の透孔（模様孔部を含む）が形成されているので、通気性が良好となり、二次的感染を防止できる。
【００４０】
（３）カラー部に多数の透孔（模様孔部を含む）が形成されているので、軽量化を図ることができ、先天性の脊髄損傷や老化による頚椎等の肉体的負担を軽減できる。
【００４１】
（４）カラー部に形成された透孔（模様孔部を含む）を利用して、留め部材で留めたり、拘束用カラーと首輪やハーネスとを接続できるので、安全を確保できる。
【００４２】
（５）動物から拘束用カラーを着脱することなく、拘束用カラーを装着した状態での飲食や散歩等が可能であるので、ペットと飼い主、双方の利便性、機能性を考慮した拘束用カラーを提供できる。
【００４３】
（６）本発明の拘束用カラーを装着した動物は、カラー部に形成された透孔（模様孔部を含む）を通して飼い主や景色を見ることができるので、精神的負担やストレスの発生を防止できる。
【００４４】
（７）本発明の拘束用カラーの作製方法によれば、短時間かつ簡便に拘束用カラーを作製でき、病院等での待ち時間の短縮に繋がる。
（８）カラー部に形成された透孔、模様孔部、カラー部に表示された右斜め直線及び左斜め直線により、デザイン性、ファッション性に優れた拘束用カラーを提供できる。
【００４５】
また、例えば、ラブラドールレトリーバー（茶）や柴犬、ポメラニアン等にはゴールド色、ラブラドールレトリーバー（黒）やハスキー（グレー系）ウルフハウンド等にはシルバー色、マルチーズ、スピッツ等にはホワイト色というように、動物の種類に応じてカラー部に表示される右斜め直線及び左斜め直線を色別することが可能である。
【００４６】
（９）再使用又はリフォーム（サイズ直し）が可能であり、動物の成長にも対応できるので、経済的に優れた拘束用カラーを提供できる。
【００４７】
（１０）ゴミとして使い捨てされることなく使用されるので、環境に優しい拘束用カラーを提供できる。
【００４８】
（１１）何度でも再使用でき、洗浄や消毒が繰り返しできる衛生的で耐久性に富んだ拘束用カラーを提供できる。
【００４９】
（１２）カラー部に表示された右斜め直線及び左斜め直線に沿って切り欠いて模様孔部を形成できるので、模様孔部の開口が容易である。
【００５０】
（１３）蓋体板を開閉することができる場合には、動物の口部付近を開くことにより、食事等が容易になり、利便性、機能性を向上させることができる。
【００５１】
（１４）ペットの性格を一番よく把握する立場にいる飼い主が主体となり、獣医師等とのコラボレーションの下で作製できる拘束用カラーを提供できる。
（１５）ナチュラルバージョン（ハードガード）、ウォークバージョン（ソフトガード）、コンビバージョン（ハードガード）等種々の拘束用カラーを提供できる。
【発明を実施するための最良の形態】
【００５２】
以下、本発明に係る拘束用カラー及びその作製方法を図面に基づいて説明する。
【００５３】
本発明に係る拘束用カラー１、１−１、１−２、１−３は、対象動物（例えば、犬、猫）の首の周りに装着され、動物の口部や頭部が、それ以外の部分に近づくのを防止するために用いられる。より具体的には、拘束用カラー１、１−１、１−２、１−３は、切り傷、感染した部位、治癒している外科的切り口のような敏感な領域が動物の体、足、尾にあるときや、頭、顔、耳を足の爪等で傷つけるのを防止するとき等に用いられる。
【００５４】
図１、図２、図８及び図１４に示すように、拘束用カラー１、１−１は、中空截頭円錐体で構成されており、その小径側端部に形成され、対象動物（ここでは、犬）Ｓの首周りに嵌める首孔部２と、小径側端部から大径側端部に向かって延びて形成され、動物Ｓの口部を囲むカラー部３とを有する。カラー部３には多数の透孔５が形成されている。透孔５は、例えば直径５ｍｍ程度の大きさであるが、動物Ｓが中型の場合、前足及び後足があまり小さくなく、爪が大きいので、爪が透孔５を通って身体に達しない程度の大きさであるのが望ましい。動物Ｓが超小型犬や猫の場合、透孔５の直径を小さくすることができる。
【００５５】
上記のように構成された、図１に示すナチュラルバージョン（ハードガード）Ｘである拘束用カラー１を動物Ｓに装着する場合、首穴部２を動物Ｓの顔部分Ｓ１を介して首の位置まで挿入し、首孔部２近傍に形成された透孔５の何れか（または後述する模様孔部１２）に、留め部材であるロックタイ（または、リピートタイ、面ファスナー等）１３を通して動物Ｓの首輪Ｔ等に留める。ナチュラルバージョンの拘束用カラー１では、動物Ｓの顔部分Ｓ１の全部を覆うことになる。拘束用カラー１を嫌がらないタイプの動物Ｓの場合には首輪Ｔ等に留める必要はない。
【００５６】
また、図２に示すウォークバージョン（ソフトガード）Ｙである拘束用カラー１−１を動物Ｓに装着した場合、動物Ｓの顔部分Ｓ１や前部分がカラー部３の先端近傍の位置になる。即ち、拘束用カラー１−１から鼻先が少し（５ｃｍ〜１０ｃｍ程度）出るようになり、散歩に適し、マーキング等の行為や排泄を容易にし、利便性が増す。但し、このサイズの場合、頭蓋骨周辺の怪我や病気（耳、眼等）には適するが、その他の症状等の場合にはその限りではなく、飼い主等の見張りを必要とするものであるため、獣医師や飼い主等により適宜選択される。
【００５７】
次に、拘束用カラー１のバリエーションの中のコンビバージョン（ハードガード）Ｚである拘束用カラー１−３は、図２６乃至図２９に示すように、背が低く足の短い動物等のために、ナチュラルバージョン（ハードガード）Ｘの応用編として、中空截頭円錐体の上部から口蓋下、顎下を通り首の付け根あたりまで開口部を形成して、この開口部を蓋体（図２８及び図２９における蓋体用裁断板）４０）で開閉できるようにして、この蓋体４０を外側に巻き込むことにより開口部を開くことができるようにしたものである。この拘束用カラー１−３によれば、その都度取り外すことなく、患部を触れずに、飲食等を容易に行うことができる。
【００５８】
また、ナチュラルバージョン（ハードガード）Ｘの拘束用カラー１には、図１に示すように、カラー部３に多数の透孔５が形成されているので、拘束用カラー１の軽量化が可能になり、首、脊髄等の負担の軽減に繋がる。また、風通しがよくなり、通気性に富み二次的感染を防ぐ。また、首輪やハーネスに接続することにより、安全性を得ることができる。さらに、デザイン性も増し、観る者を癒すことができる。
【００５９】
また、ウォークバージョン（ソフトガード）Ｙの拘束用カラー１−２にも、図２に示すように、カラー部３に多数の透孔５が形成されているので、通気性、軽量化、安全性等、その他の様々な効果を奏する。また、鼻先を少し（５ｃｍ〜１０ｃｍ位）出るサイズであるため、散歩に適し、マーキング等の行為や排泄を容易にし、利便性が増す。また、頭蓋骨周辺のガード向き用としても適する。
【００６０】
また、コンビバージョン（ハードガード）Ｚの拘束用カラー１−３にも、図２６及び図２７に示すように、カラー部３１及び蓋体（図２８及び図２９における蓋体用裁断板）４０に多数の透孔５（または後述する模様孔部１２）が形成されているので、通気性、軽量化、安全性等、その他の様々な効果を奏する。また、蓋体４０を開閉させることにより、その都度取り外すことなく、患部を触れずに、飲食等を容易に行うことができ、利便性が増す。
【００６１】
さらに、首孔部２近傍に形成された透孔５を通し孔として用いて、ロックタイ３３（またはリピートタイや面ファスナー等）を通して動物Ｓの首輪Ｔ等に留めることができる。
【００６２】
拘束用カラー１を使用する対象動物Ｓの爪や舌等が、透孔５より傷口に触れる危険性が見受けられない時は、図１０に示すように、透孔５で囲まれた部分を切り欠いて開口した模様孔部１２（黒く塗られている部分）を形成してもよい。これらの模様孔部１２の大きさは、対象動物Ｓの大きさにより異なり、模様孔部１２の数は必要に応じて変わる。模様孔部１２の形状は市松模様風の他に、三角形、菱形、楕円形、星形、花びら形等がある。
【００６３】
カラー部３に模様孔部１２を形成することにより、風通しがさらによくなり通気性が向上し、二次的感染を防ぐことができる。また、さらなる軽量化が可能となり、首、脊髄等への肉体的負担が軽減され、また、より一層外部を見渡せるようになるため視界が一段と広がり、恐怖感がさらに回避でき、見慣れた景色や好きな人の顔が鮮明に見られるようになることから安心感を得られストレスの解消に絶大な効果をもたらし、精神的負担の軽減に繋がる。
【００６４】
また、図２に示すウォークバージョン（ソフトガード）Ｙの拘束用カラー１−１や図２８及び図２９に示すコンビバージョン（ハードガード）Ｚの拘束用カラー１−３等のカラー部３にも模様孔部１２を形成することができる。これにより、機能性が向上し、飲食や散歩が容易になり、ペットや飼い主の利便性が増す。
【００６５】
さらに、透孔５と模様孔部１２を利用して、留め部材（例えば、ロックタイ、または、リピートタイ、面ファスナー等）１３を通して動物Ｓの首輪Ｔ等に留めることができ、安全性を確保できる。
なお、本発明の拘束用カラーは、どこからカットしても、どことでも留めることができる。
【００６６】
次に、本発明に係る拘束用カラーの作製方法を説明する。
【００６７】
まず、図３に示すように、乳白色もしくは透明で柔らかい合成樹脂製の板材１Ａを用意する。この板材１Ａには、直径５ｍｍ程度の透孔５が、縦ピッチが１０ｍｍ程度、横ピッチが２０ｍｍ程度の間隔を隔てて多数形成されている。
【００６８】
次いで、図４に示すように、右斜め上から左斜め下に沿った透孔５の中心を左斜め下に向かって結んだ右斜め直線６を、右斜め上から左斜め下に沿った透孔５の一列おきに表示する。また、左斜め上から右斜め下に沿った透孔５の中心を右斜め下に向かって結んだ左斜め直線７を、左斜め上から右斜め下に沿った透孔５の一列おきに表示する。
【００６９】
これらの右斜め直線６及び左斜め直線７は、ゴールド色、シルバー色、ホワイト色等のいずれかの色に着色されているために、模様孔部１２を開口しすくなる。また、例えば、ラブラドールレトリーバー（茶）や柴犬、ポメラニアン等にはゴールド色、ラブラドールレトリーバー（黒）やハスキー（グレー系）、ウルフハウンド等にはシルバー色、マルチーズ、スピッツ等にはホワイト色というように、動物の種類の応じて色を変えることにより、ファッション性を持たせ、見守る者を楽しませ癒しの効果を持たせることができる。
【００７０】
次いで、上記した板材１Ａを裁断する。この裁断にあたって、まず、略扇型形状の型紙を作製する。この型紙は薄いボール紙（または、薄い合成樹脂板等）を略扇型形状または略長方形状に切抜いて作製する。
【００７１】
すなわち、型紙には、図５に示すナチュラルバージョン（ハードガード）Ｘの略扇型形状の型紙８と、図１１に示すウォークバージョン（ソフトガード）Ｙの略扇型形状の型紙８−１と、図１６に示す略長方形状のサイズアップ用型紙１６と、図２０に示すコンビバージョン（ハードガード）Ｚの略扇型形状の型紙８−２と、図２３に示す略長方形状の蓋体用型紙４１とがある。
【００７２】
この時に必要とするパターンの選択をする。例えば、サイズ大、中、小の中から、ペットの性格や症状により選び出す。
例えば、ナチュラルバージョン（ハードガード）Ｘは、拘束用カラーを必要とするペット向きサイズで、傷口等を絶対にガードし、特に就寝時等見張ることの出来ない時に使用するタイプ、及び背が高く足が長いペット向きで、拘束用カラーを装着することで食事や散歩に支障を来たさない時に使用するタイプの動物に適する。
ウォークバージョン（ソフトガード）Ｙは、背が低く足が短いペットで拘束用カラーが邪魔をして歩行やマーキング等に支障をきたし、排泄が速やかに行われない時に使用するタイプ、及び眼や耳の症状で頭蓋骨周辺だけをガードしたい時に使用するタイプの動物に適する。
コンビバージョン（ハードガード）Ｚは、背が低く足が短いペット向きで、拘束用カラーが邪魔をして飲食が困難なタイプの動物に適する。
また、これらの組み合わせは、ペットの性格により、飼い主等が複数を選び出すことが可能である。
【００７３】
以下、ナチュラルバージョン（ハードガード）Ｘの拘束用カラー１の作製方法を、図５乃至図１０を参照して説明する。
【００７４】
ナチュラルバージョン（ハードガード）Ｘの型紙８には、図５に示すように、略扇型形状の主部９の両端部にヘム部９Ａ、９Ｂが形成されている。なお、図５中ａ、ｂは出来上がりラインであり、点線で描かれている曲線は、動物Ｓの体型別のガイドラインである。
【００７５】
次いで、図６に示すように、使用する側が選んだナチュラルバージョン（ハードガード）Ｘの型紙８を板材１Ａの下に置き、動物Ｓの首周りを計り、サイズに合わせて鉛筆等で板材１Ａに型紙８に沿った裁断線を引き、この裁断線に合わせて裁断する。図７に示すように、裁断された板材、すなわち裁断板１Ｂには、型紙８と同様に略扇型形状の主部１０と、この主部１０の両端部のヘム部１１Ａ、１１Ｂと出来上がりラインａ１、ｂ１が形成される。
【００７６】
そして、拘束用カラー１を使用する対象動物Ｓ（犬、猫等）が小さい場合には、前足及び後足が小さく爪も細いので、多数の透孔５を有する裁断板１Ｂをそのまま使用する。
【００７７】
次いで、図７に示すように、裁断板１Ｂには、そのヘム部１１Ａの外側角部をＡ、内側角部をＣ、出来上がりラインａ１の内、外端部をイ、ロとし、また、ヘム部１１Ｂの外側角部をＢ、内側角部をＤ、出来上がりラインｂ１の内、外端部をハ、ニとした場合に、裁断板１ＢのＡ〜Ｂ間の外縁部に接着テープＰ１を貼り、ヘム部１１ＡのＡ〜Ｃ間の端縁部に接着テープＰ２を貼り、ヘム部１１ＢのＢ〜Ｄ間の端縁部に接着テープＰ３を貼り、裁断板１ＢのＣ〜Ｄ間の内縁部に接着テープＰ４を貼る。
【００７８】
次いで、図８に示すように、裁断板１Ｂを丸めることで、出来上がりラインａ１と出来上がりラインｂ１とを合せ、すなわち、ロとニとを合せ、イとハとを合わせて、両ヘム部１１Ａ、１１Ｂを重ね合せる。
その後、両ヘム部１１Ａ、１１Ｂに形成されている透孔５を利用して留め部材であるロックタイ（またはリピートタイ、面ファスナー等）１３で数ヶ所留めることにより、中空截頭円錐体で構成された拘束用カラー１を作製する。
【００７９】
また、拘束用カラー１を使用する対象動物Ｓ（犬、猫等）が比較的大きい場合（中型以上）には、前足及び後足が大きく爪も太いので、裁断板１Ｂには多数の模様孔部１２を形成してもよい。すなわち、裁断板１Ｂの右斜め直線６及び左斜め直線７に沿って、市松模様風等必要に応じてカットして多くの模様孔部１２を開口する。なお、透孔５の半径や透孔５のピッチ、市松模様風等に切り取った模様孔部１２の大きさは対象動物の大きさや症状により異なる。
【００８０】
そして、図９に示すように、裁断板１Ｂには、そのヘム部１１Ａの外側角部をＡ、内側角部をＣ、出来上がりラインａ１の内外端部をイ、ロとし、また、ヘム部１１Ｂの外側角部をＢ、内側角部をＤ、出来上がりラインｂ１の内外端部をハ、ニとした場合に、裁断板１ＢのＡ〜Ｂ間の外縁部に接着テープＰ１を貼り、ヘム部１１ＡのＡ〜Ｃ間の端縁部に接着テープＰ２を貼り、ヘム部１１ＢのＢ〜Ｄ間の端縁部に接着テープＰ３を貼り、裁断板１ＢのＣ〜Ｄ間の内縁部に接着テープＰ４を貼る。
【００８１】
そして、図１０に示すように、裁断板１Ｂを丸めることで、出来上がりラインａ１と出来上がりラインｂ１とを合せ、すなわち、ロとニとを合せ、イとハとを合わせて、両ヘム部１１Ａ、１１Ｂを重ね合せ、両ヘム部１１Ａ、１１Ｂに形成されている透孔５もしくは模様孔部１２を利用してロックタイ（またはリピートタイ、面ファスナー等）１３で数ヶ所留めることで、中空截頭円錐体の拘束用カラー１を作製する。
【００８２】
なお、模様孔部１２の形状は、上記した市松模様風に限らず、三角形状、菱形、楕円形、星形、花びら形等であってもよく、また、上記した右斜め直線６及び左斜め直線７を引くことなく、板材１Ａに直接に模様孔部１２を多数形成するようにしてもよい。さらに、型紙８を使用することなく、裁断板１Ｂに直接模様孔部１２の上にパターンを転写しサイズ展開してもよい。また、材料そのものに当初からパターンを切り抜き、その後でそれぞれの模様孔部１２が切り口に掛からないようにデザインして作ることもできる。
【００８３】
なお、裁断板１Ｂの右斜め直線６及び左斜め直線７に沿って斜め市松模様風等を必要に応じカット（切欠）して、模様孔部１２を開口する作業は、必要に応じ獣医師等が行ってもよいが、手術等の予定のある時のような緊急時は、事前に飼い主が、ペットの種類や性格、症状によりサイズを決定して、図８に示す拘束用カラー１を使用し、後日、主に飼い主等がペットを見張れる時に首から外し、そのまま鉄やカッター等でカットするか、または分解してカットしてもよい。分解はロックタイ１３を切るか外して行う。
【００８４】
なお、上記の事項を説明書に記載して、例えば説明書付きの拘束用カラーを病院等から渡されれば、受け取った側の理解も早まるので望ましい。これによって、獣医師による診療時間の短縮に繋がり、二次感染を防ぐ等のコラボレートが成り立つ。なお、説明書に記載される事項はＰＬ法に基づき事故のないよう万全の配慮がなされていることが望ましい。
【００８５】
次に、ウォークバージョン（ソフトガード）Ｙの拘束用カラー１−１の作製方法を図１１乃至図１４を参照して説明する。
【００８６】
ウォークバージョン（ソフトガード）Ｙの型紙８−１には、図１１に示すように、略扇型形状の主部１４の両端部にヘム部１４Ａ、１４Ｂが形成されている。なお、図１１中ｅ、ｆは出来上がりラインであり、点線で描かれている曲線は、動物Ｓの体型別のガイドラインである。
【００８７】
次いで、図１２に示すように、型紙８−１を板材１Ａの下に置き、動物Ｓの首周りを計り、サイズに合わせて鉛筆等で板材１Ａに型紙８−１に沿った裁断線を引き、この裁断線に合わせて裁断する。図１３に示すように、裁断された板材、すなわち裁断板１Ｂ−１には、略扇型形状の主部１５と、この主部１５の両端部のヘム部１５Ａ、１５Ｂと、出来上がりラインｅ１、ｆ１が形成される。
【００８８】
次いで、図１３に示すように、裁断板１Ｂ−１には、そのヘム部１５Ａの外側角部をＡ、内側角部をＣ、出来上がりラインｅ１の内、外端部をイ、ロとし、また、ヘム部１５Ｂの外側角部をＢ、内側角部をＤ、出来上がりラインｆ１の内、外端部をハ、ニとした場合に、裁断板１Ｂ−１のＡ〜Ｂ間の外縁部に接着テープＰ１を貼り、ヘム部１５ＡのＡ〜Ｃ間の端縁部に接着テープＰ２を貼り、ヘム部１５ＢのＢ〜Ｄ間の端縁部に接着テープＰ３を貼り、裁断板１Ｂ−１のＣ〜Ｄ間の内縁部に接着テープＰ４を貼る。
【００８９】
次いで、図１４に示すように、裁断板１Ｂ−１を丸めることで、出来上がりラインｅ１と出来上がりラインｆ１とを合せ、すなわち、ロとニとを合せ、イとハとを合わせて、両ヘム部１５Ａ、１５Ｂを重ね合せる。
その後、両ヘム部１１Ａ、１１Ｂに形成されている透孔５を利用して留め部材であるロックタイ（またはリピートタイ、面ファスナー等）１３で数ヶ所留めることにより、中空截頭円錐体で構成された拘束用カラー１−１を作製する。
【００９０】
また、拘束用カラー１−１を使用する対象動物（犬、猫）が比較的大きい場合（中型以上）は、前足及び後足が大きく爪も太いので、裁断板１Ｂ−１に多数の模様孔部１２を形成してもよい。
【００９１】
次に、動物Ｓが太った時や、痩せた時に対応する拘束用カラー１−２の作製方法を、図１５乃至図１９を参照して説明する。
【００９２】
図８に示すナチュラルバージョン（ハードガード）Ｘの拘束用カラー１からサイズアップする場合について説明する。
【００９３】
まず、拘束用カラー１の留め部材であるロックタイ（またはピートタイ、面ファスナー等）１３を外し、図１５に示すように、拘束用カラー１を略扇型形状の裁断板１Ｂに戻す。
次いで、サイズアップさせたい寸法分量のサイズアップ用型紙１６を、説明書に従い作製する。
【００９４】
すなわち、サイズアップ用型紙１６には、図１６に示すように略長方形状の主部１７の両端部にヘム部１７Ａ、１７Ｂが形成される。なお、図１６中１７ａ、１７ｂは出来上がりラインであり、点線で描かれる曲線は動物Ｓの体型別のガイドラインである。
【００９５】
次いで、図１７に示すように、サイズアップ用型紙１６を板材１Ａの下に置き、動物Ｓの首周りを計り、サイズに合わせ鉛筆等で板材１Ａにサイズアップ用型紙１６に沿った裁断線を引き、この裁断線に合わせて裁断する。裁断された板材、すなわち、サイズアップ用裁断板２０には、図１８に示すように、その略長方形状の主部２０Ｃの両端部にヘム部２０Ａ、２０Ｂと出来上がりラインｃ１、ｄ１が形成される。
【００９６】
そして、このサイズアップ用裁断板２０は、そのヘム部２０Ａの外側角部をＥ、内側角部をＧ、出来上がりラインｃ１の内、外端部をへ、ホとし、また、ヘム部２０Ｂの外側角部をＦ、内側角部をＨ、出来上がりラインｄ１の内、外端部をチ、トとした場合に、サイズアップ用裁断板２０のＥ〜Ｆ間の外縁部にテープＰ５を貼り、サイズアップ用裁断板２０のＥ〜Ｇ間の端縁部にテープＰ６を貼り、サイズアップ用裁断板２０のＦ〜Ｈ間の端縁部にテープＰ７を貼る。
【００９７】
そして、裁断板１Ｂの出来上がりラインａ１とサイズアップ用裁断板２０の出来上がりラインｄ１とを合わせ、すなわち、イとチ、ロと卜とを合わせて、両ヘム部１１Ａ、２０Ｂを重ね合わせ、図１９に示すように、両ヘム部１１Ａ、２０Ｂに形成されている透孔５を利用してロックタイ（またはリピートタイ、面ファスナー等）２３で留めることで、裁断板１Ｂの一方の端部にサイズアップ用裁断板２０の一方の端部を接続する。
【００９８】
次いで、裁断板１Ｂ及びサイズアップ用裁断板２０を丸めることで、出来上がりラインｂ１と出来上がりラインｃ１とを合わせ、すなわち、ニとホを合わせ、ハとへとを合わせて、両ヘム部１１Ｂ、２０Ａを重ね合わせ、両ヘム部１１Ｂ、２０Ａに形成されている透孔５を利用してロックタイ（またはリピートタイ、面ファスナー等）２３で留めて、環になったヘム部１１Ａとヘム部２０Ｂ、ヘム部１１Ｂとヘム部２０Ａを重ねた上からＣ〜ＤとＧ〜Ｈと輪を描く要領で接着テープＰ４を剥がす等して、接着テープＰ８を貼り、サイズアップさせた拘束用カラー１−２を作製する。なお、ロックタイ等２３の位置を変えることでも、ペットが太った時や成長した時にも対応できる。
【００９９】
また、サイズアップ用裁断板２０に形成された透孔５及び模様孔部１２を利用して、首輪Ｔ等と接続できる。なお、ウォークバージョン（ソフトガード）Ｙの拘束用カラー１−１のサイズアップは、上記したナチュラルバージョン（ハードガード）Ｘの拘束用カラー１のサイズアップと同様に行なわれる。
【０１００】
次に、図８に示すナチュラルバージョン（ハードガード）Ｘの拘束用カラー１と、ウォークバージョン（ソフトガード）Ｙの拘束用カラー１−１とを、それぞれサイズダウンする方法について説明する。
【０１０１】
この場合、それぞれの透孔５及び模様孔部１２を利用して、ロックタイ（またはリピートタイ、面ファスナー等）１３、２３で留め直せばよく、どの拘束用カラー１、１−１、１−２、１−３も同様に、再使用またはリフォーム（サイズ直し）ができ、無駄がなく地球環境に優しいものになる。すなわち、パターン化させリフォーム（サイズ直し）を可能にさせることにより塵が少なくなり、使い捨てにしない注意を（説明書に写真や図解を交え）呼びかけ、飼い主が主になり拘束用カラー１、１−１、１−２、１−３を作製し無駄をなくすことができる。
【０１０２】
次に、コンビバージョン（ハードガード）Ｚの拘束用カラー１−３及びその作製方法を図２０乃至図２９を参照して説明する。
【０１０３】
コンビバージョン（ハードガード）Ｚの拘束用カラー１−３は、図２６に示すように、略扇型形状の裁断板１Ｂ−２と、略長方形状の蓋体用裁断板４０とで構成されている。
【０１０４】
コンビバージョン（ハードガード）Ｚの略扇型形状の型紙８−２は、図２０に示すように、略扇型形状の主部３０の両端部にヘム部３０Ａ、３０Ｂが形成されている。なお、図２０中ｇ、ｈは出来上がりラインであり、点線で描かれる曲線は動物Ｓの体型別のガイドラインである。
【０１０５】
そして、図２１に示すように、型紙８−２を多数の透孔５を有する板材１Ａの下に置き、動物Ｓの首周りを計り、サイズに合わせ鉛筆等で板材１Ａに型紙８−２に沿った裁断線を引き、この裁断線に合わせて裁断する。裁断された板材、すなわち裁断板１Ｂ−２には、図２２に示すように、略扇型形状の主部３１の両端部のヘム部３１Ａ、３１Ｂと出来上がりラインｇ１、ｈ１が形成される。
【０１０６】
そして、裁断板１Ｂ−２には、そのヘム部３１Ａの外側角部をＡ、内側角部をＣ、出来上がりラインｇ１の内、外端部をイ、ロとし、また、ヘム部３１Ｂの外側角部をＢ、内側角部をＤ、出来上がりラインｈ１の内、外端部をハ、ニとした場合に、裁断板１Ｂ−２のＡ〜Ｂ間の外縁部に接着テープＰ１０を貼り、裁断板１Ｂ−２のヘム部３１ＡのＡ〜Ｃ間の端縁部に接着テープＰ１１を貼り、ヘム部３１ＢのＢ〜Ｄ間の端縁部に接着テープＰ１２を貼る。
【０１０７】
また、コンビバージョン（ハードガード）Ｚの略長方形状の蓋体用型紙４１は、図２３で示すように、略長方形状の主部４１Ｃと端部４１Ａ、４１Ｂからなる。なお、図２３中ｉ、ｊは出来上がりラインであり、点線で描かれる曲線は動物Ｓの体型別のガイドラインである。
【０１０８】
次に、図２４に示すように、蓋体用型紙４１を板材１Ａの下に置き、動物Ｓの首周りを計り、サイズに合わせ鉛筆等で板材１Ａに蓋体用型紙４１に沿った裁断線を引き、この裁断線に合わせて裁断する。裁断された板材、すなわち、蓋体用裁断板４０には、図２５に示すように、その略長方形状の主部４０Ｃと端部４０Ａ、４０Ｂと出来上がりラインｉ１、ｊ１が形成される。
【０１０９】
そして、この蓋体用裁断板４０は、その端部４０Ａの外側角部をＥ、内側角部をＧ、出来上がりラインｉ１の内、外端部をへ、ホとし、また、端部４０Ｂの外側角部をＦ、内側角部をＨ、出来上がりラインｊ１の内、外端部をチ、トとした場合に、蓋体用裁断板４０のＥ〜Ｆ間の外縁部にテープＰ１４を貼り、蓋体用裁断板４０のＥ〜Ｇ間の端縁部にテープＰ１５を貼り、蓋体用裁断板４０のＦ〜Ｈ間の端縁部にテープＰ１６を貼る。
【０１１０】
そして、裁断板１Ｂ−２の出来上がりラインｇ１と蓋体用裁断板４０の出来上がりラインｊ１とを合わせ、すなわち、イとチ、ロとトとを合わせて、ヘム部３１Ａ、端部４０Ｂを重ね合わせ、図２６に示すように、ヘム部３１Ａ、端部４０Ｂに形成されている透孔５を利用して、ロックタイ（またはリピートタイ、面ファスナー等）３３で留めることで、裁断板１Ｂ−２の一方の端部に蓋体用裁断板４０の一方の端部を接続する。
【０１１１】
次いで、裁断板１Ｂ−２及び蓋体用裁断板４０を丸めることで、出来上がりラインｈ１と出来上がりラインｉ１とを合わせ、すなわち、ニとホを合わせ、ハとへとを合わせて、ヘム部３１Ｂ、端部４０Ａを重ね合わせ、ヘム部３１Ｂ、端部４０Ａに形成されている透孔５を利用してロックタイ（またはリピートタイ、面ファスナー等）３３で留め、環になったヘム部３１Ｂと端部４０Ａ、ヘム部３１Ａと端部４０Ｂを重ねた上からＣ〜ＤとＧ〜Ｈと輪を描く要領で接着テープＰ１７を貼ることで、中空戟頭円錐体の拘束用カラー１−３を作製する。
【０１１２】
また、図２７に示す拘束用カラー１−３は、略扇型形状の裁断板１Ｂ−２及び略長方形状の蓋体用裁断板４０を、透孔５及び模様孔部１２を形成した板材から裁断して、上記したように組付けることで作製される。
【０１１３】
また、裁断板１Ｂ−２及び蓋体用裁断板４０に形成された透孔５及び模様孔部１２を利用して、首輪Ｔ等と接続できる。
【０１１４】
上記のように構成された拘束用カラー１−３は、例えば、図２８に示す動物Ｓ（ここでは犬を例とする）に装着されたり、図２９に示す動物Ｋ（ここでは猫を例とする）に装着される。そして、動物Ｓ及び動物Ｋの口部（口蓋にあたる部分）Ｓ２、Ｋ２を解放する場合には、図２８及び図２９に示すように、拘束用カラー１−３の首孔部２側のロックタイ（またはリピートタイ、面ファスナー等）３３を残した状態で、他のロックタイ（またはリピートタイ、面ファスナー等）３３を外し、蓋体用裁断板４０を外側に巻き込むことで行なわれる。
【０１１５】
以上説明したように、本発明に係る拘束用カラーの実施の形態によれば、カラー部３に設けた多数の透孔５及び／又は模様孔部１２から外部を見渡せるために、視界が広がりペットの恐怖感が回避でき、見慣れた景色や好きな人の顔が見られるようになり、ストレスの解消ができるようになるとともに、風通しがよくなり、通気性に富み二次感染を防ぐことができる。
【０１１６】
また、カラー部３に多数の透孔５及び／又は模様孔部１２が形成されているので、軽量化が可能になり、首、脊髄等の負担を軽減させ、また、ウォークバージョン（ハードガード）Ｙや、コンビバージョン（ハードガード）Ｚ等のバリエーションに富んだ拘束用カラー１−１、１−３を提案でき、散歩や飲食等が容易になるように利便性、機能性を向上させることができる。さらに、透孔５及び／又は模様孔部１２を留め部材の留め孔として利用したり、拘束用カラー１、１ー１、１−３と首輪Ｔとを留め部材で接続するときの留め孔として利用できる。
【０１１７】
また、本発明に係る拘束用カラーの実施の形態によれば、右斜め直線６及び左斜め直線７はゴールド色、シルバー色、ホワイト色等のいずれかの色が付けられているために、動物Ｓの眼球への負担を少しでも無くすことが可能になる。また、例えば、ラブラドールレトリーバー（茶）や柴犬、ポメラニアン等にはゴールド色、ラブラドールレトリーバー（黒）やハスキー（グレー系）、ウルフハウンド等にはシルバー色、マルチーズ、スピッツ等にはホワイト色というように、ファション性を持たせて、観る者を楽しませ癒しの効果を持たせることが可能になる。
【０１１８】
また、本発明に係る拘束用カラーの実施の形態によれば、模様孔部１２の形状を、市松模様風、三角形、菱形、楕円形、星形、花びら形等にして、拘束用カラー１、１−１、１−２、１−３にデザイン性を持たせれば、そのデザイン性が向上し、見るものを癒すことができる。
【０１１９】
また、本発明に係る拘束用カラーの実施の形態によれば、パターン化したことにより一定の材料に図を転写し、それをサイズに合わせカットすればよいので、合理的に作製することができ、作製時間の短縮化が可能になる。また、衛生的に洗える材料を用いることにより、再使用ができ、リフォームも可能になり、経済的で、飼い主が主になり作製できる、ペットのニーズに合った環境を考慮した理想的な拘束用カラーを提供できる。
【０１２０】
また、本発明に係る拘束用カラーの実施の形態によれば、動物Ｓ及び動物Ｋの口部（口蓋にあたる部分）Ｓ２、Ｋ２を開くようなバリエーションに富んだコンビバージョン等の拘束用カラー１−３を提供できるので、食事等が容易になるように利便性、機能性を向上させることができる。
【０１２１】
なお、本発明に係る拘束用カラーの実施の形態では、対象動物Ｓとして犬や猫について述べているが、これに限らず、兎、豚、動物園動物、野生動物等にも適用できる。
【産業上の利用可能性】
【０１２２】
本発明に係る拘束用カラーは、デザイン性、ファッション性、機能性、安全性に優れているので、動物病院、動物園、獣医大学病院、薬品会社、飼料会社、動物を必要とするあらゆる研究機関等で利用され、広くは、世界中のペットの役に立ち、生産することにより産業上の可能性は大きく発展し、日本の経済の一部に貢献できるものである。
【図面の簡単な説明】
【０１２３】
【図１】本発明に係る拘束用カラーを動物（犬）に装着した状態を示す説明図である。
【図２】本発明に係る他の拘束用カラーを動物（犬）に装着した状態を示す説明図である。
【図３】本発明に係る拘束用カラーに使用する板材を示す平面図である。
【図４】表面に右斜め直線及び左斜め直線を引いた状態の板材を示す平面図である。
【図５】ナチュラルバージョン（ハードガード）Ｘの拘束用カラーの型紙を示す平面図である。
【図６】型紙に板材を重ねた状態を示す平面図である。
【図７】ナチュラルバージョン（ハードガード）Ｘの拘束用カラーの裁断板を示す平面図である。
【図８】ナチュラルバージョン（ハードガード）Ｘの拘束用カラーを示す斜視図である。
【図９】ナチュラルバージョン（ハードガード）Ｘの拘束用カラーの他の裁断板を示す平面図である。
【図１０】ナチュラルバージョン（ハードガード）Ｘの拘束用カラーを示す斜視図である。
【図１１】ウォークバージョン（ソフトガード）Ｙの拘束用カラーの型紙を示す平面図である。
【図１２】型紙に板材を重ねた状態を示す平面図である。
【図１３】ウォークバージョン（ソフトガード）Ｙの拘束用カラーの裁断板を示す平面図である。
【図１４】ウォークバージョン（ソフトガード）Ｙの拘束用カラーを示す斜視図である。
【図１５】ナチュラルバージョン（ハードガード）Ｘの拘束用カラーを略扇型形状の裁断板に戻した状態を示す説明図である。
【図１６】サイズアップ用型紙を示す平面図である。
【図１７】サイズアップ用型紙に板材を重ねた状態を示す平面図である。
【図１８】サイズアップ用裁断板を示す平面図である。
【図１９】ナチュラルバージョン（ハードガード）Ｘのサイズアップした拘束用カラーを示す斜視図である。
【図２０】コンビバージョン（ハードガード）Ｚの拘束用カラーの略扇型形状の型紙を示す平面図である。
【図２１】型紙に板材を重ねた状態を示す平面図である。
【図２２】コンビバージョン（ハードガード）Ｚの拘束用カラーの裁断板を示す平面図である。
【図２３】コンビバージョン（ハードガード）Ｚの拘束用カラーの蓋体用型紙を示す平面図である。
【図２４】型紙に板材を重ねた状態を示す平面図である。
【図２５】コンビバージョン（ハードガード）Ｚの拘束用カラーの蓋体用裁断板を示す平面図である。
【図２６】コンビバージョン（ハードガード）Ｚの拘束用カラーを示す斜視図である。
【図２７】コンビバージョン（ハードガード）Ｚの他の拘束用カラーを示す斜視図である
【図２８】コンビバージョン（ハードガード）Ｚの拘束用カラーにおいて動物Ｓ（犬）の口部（口蓋にあたる部分）を開いた状態を示す斜視図である。
【図２９】コンビバージョン（ハードガード）Ｚの拘束用カラーにおいて動物Ｋ（猫）の口部（口蓋にあたる部分）を開いた状態を示す斜視図である。
【図３０】従来の拘束用カラーを示す斜視図である。
【図３１】従来の他の拘束用カラーを示す斜視図である。
【図３２】従来の他の拘束用カラーを示す斜視図である。
【符号の説明】
【０１２４】
１        拘束用カラー
１−１    拘束用カラー
１−２    拘束用カラー
１−３    拘束用カラー
１Ａ      板材
１Ｂ      裁断板
１Ｂ−１  裁断板
１Ｂ−２  裁断板
２        首孔部
３        カラー部
５        透孔
６        右斜め直線
７        左斜め直線
８        型紙
８−１    型紙
８−２    型紙
９        主部
９Ａ      ヘム部
９Ｂ      ヘム部
１０      主部
１１Ａ    ヘム部
１１Ｂ    ヘム部
１２      模様孔部
１３      ロックタイ（留め部材）
１４      主部
１４Ａ    ヘム部
１４Ｂ    ヘム部
１５      主部
１５Ａ    ヘム部
１５Ｂ    ヘム部
１６      サイズアップ用型紙
１７Ａ    主部
１７Ｂ    ヘム部
１７Ｂ    ヘム部
２０      サイズアップ用裁断板
２０Ａ    ヘム部
２０Ｂ    ヘム部
２０Ｃ    主部
２３      ロックタイ（留め部材）
３０      主部
３０Ａ    ヘム部
３０Ｂ    ヘム部
３１      主部
３０Ａ    ヘム部
３０Ｂ    ヘム部
３１      ロックタイ（留め部材）
４０      蓋体用裁断板（蓋体）
４０Ａ    端部
４０Ｂ    端部
４１      蓋体用型紙
４１Ａ    端部
４１Ｂ    端部
４１Ｃ    主部
Ｓ        動物（犬）
Ｓ１      顔部分
Ｓ２      口部
Ｋ        動物（猫）
Ｋ２      口部
Ｐ１〜Ｐ８  接着テープ
Ｐ１０〜Ｐ１２  接着テープ
Ｐ１４〜Ｐ１７  接着テープ
Ｘ        ナチュラルバージョン（ハードガード）
Ｙ        ウォークバージョン（ソフトガード）
Ｚ        コンビバージョン（ハードガード）